(57)【特許請求の範囲】
【請求項１】
マルチキャリア変調方式を用いて映像信号を送信装置から受信装置へ伝送するディジタル伝送システムの伝送状態表示方法において、
上記受信装置側で、受信した上記映像信号から、主波に対する反射波の混入する位置及びレベルの状態を表すゴースト状態信号と、復号ＢＥＲ（ビットエラーレート）状態を表すＢＥＲ状態信号と、電界強度状態を表す電界強度状態信号を生成し、上記ゴースト状態信号、上記ＢＥＲ状態信号、上記電界強度状態信号をそれぞれ映像化信号に変換し、それぞれの上記映像化信号を、同一画面上のそれぞれの所定位置に表示させるように変換統合して表示部に出力し、ゴースト状態映像と、ＢＥＲ状態映像と、電界強度状態映像を同一画面上のそれぞれの所定位置に表示し、上記ゴースト状態映像が上記表示部のあらかじめ定めた領域に存在するとき、伝送状態が異常であることを報知する信号を出力することを特徴とする伝送状態表示方法。
【請求項２】
請求項１において、
上記あらかじめ定めた領域は、ガード期間に相当する領域外であることを特徴とする伝送状態表示方法。
【請求項３】
請求項１乃至２において、
伝送状態が異常であることを報知する信号が出力されたとき、警告音を発生するかもしくは異常状態映像化信号を表示することを特徴とする伝送状態表示方法。
【発明の詳細な説明】
【０００１】
【発明の属する技術分野】
本発明は、直交周波数分割多重（ＯＦＤＭ：Orthogonal Frequency Division Multiplex)変調方式等のマルチキャリア変調方式を用いたディジタル伝送装置に関する。
【０００２】
【従来の技術】
近年、ヨーロッパやアメリカおよび日本でディジタル放送が検討されており、その変調方式としてＯＦＤＭ変調方式の採用が有力視されている。
このＯＦＤＭ変調方式とは、マルチキャリア変調方式の一種で、多数のディジタル変調波を加え合わせたものである。  このときの各キャリアの変調方式にはＱＰＳＫ(Quadrature Phase Shift Keying：４相位相偏移変調)方式等が用いられ、合成波であるＯＦＤＭ信号を得ることができる。
ここで、このＯＦＤＭ信号を数式で表すと、以下のようになる。
まず、各キャリアのＱＰＳＫ信号をαk(t)とすると、これは式(１)で表せる。
αk(t)＝ａk(t)・cos(2πkft)＋ｂk(t)・sin(2πkft)  ・・・・・（１)
ここで、ｋはキャリアの番号を示し、ａk(t)、ｂk(t)は、ｋ番目のキャリアのデータで、［−１］または［１］の値をとる。
次に、キャリアの本数をＮとすると、ＯＦＤＭ信号はＮ本のキャリアの合成であり、これをβk(t)とすると、これは次の式(２)で表すことができる。
βk(t)=Σαk(t)      (但し、ｋ＝１〜Ｎ)    ・・・・・・（２）
ところで、ＯＦＤＭ変調方式では、マルチパスの影響を低減するため、信号にガードインターバルを付加するのが一般的である。
このＯＦＤＭ信号は、上記信号単位から構成され、この信号単位シンボルは、例えば有効サンプル１０２４サンプルにガードインターバルデータ４８サンプルを付加した１０７２サンプルのシンボル８９４組に、６組の同期シンボルを付加した、全９００シンボルからなるフレームと呼ぶストリーム単位の繰返しで構成される。
【０００３】
図１７は従来技術によるＯＦＤＭ伝送装置における変復調部の基本的な構成を示すブロック図であり、伝送路符号化部１Ｔ、符号化部２Ｔ、ＩＦＦＴ(Inverse Fast Fourier Transform：逆フーリエ変換)部３Ａ、ガード付加部３Ｂ、同期シンボル挿入部５、クロック発振器６、直交変調処理部８とからなる送信側処理部１０１と図示しない送信アンテナを有する送信側Ｔｘと、図示しない受信アンテナとＡＣＧ部９Ａ、直交復調処理部９Ｂ、同期検出＆相関部４Ａ、ＦＳＴ補正部４Ｂ、ＦＦＴ(Fast Fourier Transform：高速フーリエ変換)部３Ｃ、復号化部２Ｒ、伝送路復号化部１Ｒ、電圧制御クロック発振器１０からなる受信側処理部２０３を有する受信側Ｒｘとにより構成され、これら送信側Ｔｘと受信側Ｒｘは、例えば、電波を用いた無線の伝送路Ｌにより結ばれている。
【０００４】
以下、図１７を用いてＯＦＤＭ信号の変復調処理について説明する。
送信側処理部１０１の伝送路符号化部１Ｔに連続的に入力されるデータＤinは、例えば９００シンボルからなるフレーム毎に処理され、このフレーム期間内で同期シンボルの６シンボル期間を除く８９４個の情報シンボル毎に、１から４００番と、６２５から１０２４番までの計８００サンプル期間に、間欠状態のレート変換済データＤiiとして出力される。
また、伝送路符号化部１Ｔは、フレーム周期である９００シンボル毎に、送信側のフレーム制御パルスＦＳＴを発生し、同期シンボル期間の開始を表わすフレームパルス信号として、他のブロックに供給する。
符号化部２Ｔは、入力されたデータＤiiを符号化し、Ｉ軸とＱ軸の２軸にマッピングしたデータＲｆとＩｆを出力する。
ＩＦＦＴ部３Ａは、これらデータＲｆとＩｆを周波数成分と見なし、１０２４サンプルからなる時間軸信号Ｒ(実数成分)とＩ(虚数成分)に変換する。
ガード付加部３Ｂは、１０２４サンプルからなる時間軸信号ＲとＩの開始期間における波形の中で、例えば最初の４８サンプルの波形を１０２４サンプル後に付加し、合計１０７２サンプルの時間軸波形からなる情報シンボルＲｇとＩｇを出力する。  この４８サンプルは反射波混入時の緩衝帯となる。
同期シンボル挿入部５は、これら情報シンボルＲｇ，Ｉｇに対して、それらの８９４サンプル毎に、予めメモリ等に記憶された、６シンボルからなる同期波形を挿入し、フレーム構成のデータＲsgとＩsgを作成する。
これらのデータＲsg，Ｉsgは直交変調処理部８に供給され、ここでＤ／Ａ変換器８１と直交変調器８２、ローカル発振器８３により、周波数ＦｃのキャリアによるＯＦＤＭ変調波信号ＲＦとして生成され、高周波増幅され、ここでは図示しないが、送信アンテナを介して伝送路Ｌに送出されることになる。  伝送帯域は、ＵＨＦ帯やマイクロ波帯が用いられる。
なお、送信側Ｔｘにおける処理に必要なクロックＣＫ(周波数１６ＭＨｚ)は、クロック発振器６から各ブロックに送信側クロックＣＫｄとして供給される。
【０００５】
上記の様にして送信されたＯＦＤＭ変調波信号ＲＦは、図示しない受信アンテナを介し、受信側Ｒｘの高周波部であるＡＧＣ部９Ａを経由して直交復調処理部９Ｂに入力され、直交復調器９１により電圧制御発振器９３から供給される周波数Ｆc'の局発信号と乗算されて、ベースバンド信号に直交復調された後、Ａ／Ｄ変換器９２によってディジタル化され、データＲ'sgとＩ'sgに変換される。
これらのデータＲ'sg，Ｉ'sgは、ＦＦＴ(Fast Fourier Transform：高速フーリエ変換)部３Ｃに供給され、ここでパルスＦＳＴrcに基づきＦＦＴとして利用する１０２４サンプルのデータ期間を決定するゲート信号を作成して、緩衝帯である４８サンプルを除外することにより、時間軸波形信号Ｒ'sg，Ｉ'sgは、周波数成分信号Ｒ'fとＩ'fに変換される。
そして、これら周波数成分信号Ｒ'f，Ｉ'fは、復号化部２Ｒにて識別、復号化されて、データＤ'oになり、伝送路復号化部１Ｒにて連続した信号Ｄoutとして出力される。
一方、上記データＲ'sgとＩ'sgは、同期検出＆相関部４Ａにも入力され、ここで同期シンボル群が検出され、これによりフレームパルスとなるパルスＦＳＴｒが取り出される。  このパルスＦＳＴｒは、受信側Ｒｘのフレーム制御パルスとなり、受信側Ｒｘの各ブロックに供給される。
また、この同期検出＆相関部４Ａは、電圧制御クロック発振器１０から発生されるクロックＣＫrcとデータＲ'sgとＩ'sgの同期成分を比較し、比較結果に応じた相関出力ＳｃをＦＳＴ補正部４Ｂに出力する。  そして、ＦＳＴ補正部４Ｂで制御電圧ＶＣを生成し、これにより電圧制御クロック発振器１０を制御し、正しい周期のクロックＣＫrcが発生され、受信側の各ブロックに供給される。
【０００６】
次に、図１７に示した各ブロックの詳細について説明する。
伝送路符号化部１Ｔは、伝送中に混入の恐れがある各種のエラーによるデータ誤りを防止するため、インターリーブ処理、エネルギー拡散処理、エラー訂正用符号処理等を行う。
符号化部２Ｔは、信号Ｄiiを、マッピングＲＯＭを用いてＩ，Ｑ軸の所定点の情報に変換し、また、不要キャリアに相当する期間の信号は０に置換し、データＲｆとＩｆを作成する。
ＩＦＦＴ変換部３Ａは、入力信号ＲｆとＩｆをクロックＣＫｄとパルスＦＳＴとでタイミングを決められた、シンボル周期の時間軸波形ＲとＩに変換する。
具体的には、プレッシー社のＰＤＳＰ１６５１０等を用いれば実現できる。
ガード付加部３Ｂは、ここに入力された信号ＲとＩを１０２４サンプル遅延させる遅延器と、１０２５サンプル目から１０７２サンプル目のみ遅延出力を選択する切り替え器からなり、これらはクロックＣＫとパルスＦＳＴによってタイミングを決められる。  ここで得られる全１０７２サンプルからなるシンボルは、１０２５サンプル目から１０７２サンプル目に、１サンプル目から４８サンプル間の時間軸波形が付加され、情報シンボルＲｇ，Ｉｇとなる。
【０００７】
次に、同期シンボル挿入部５の一例を図１８に示す。  まず、ＲＯＭ５−１，５−２は、クロックＣＫとパルスＦＳＴでタイミングが決められたコントローラ５−５によって制御され、これにより、パルスＦＳＴに応じたタイミングで同期シンボル信号を発生する。
同様にＳＥＬ５−３，５−４は、クロックＣＫとパルスＦＳＴでタイミングが決められたコントローラ５−６によって制御され、ガード付の時間情報シンボル信号Ｒｇ，Ｉｇの、現段階では無信号期間である１シンボルから６シンボルまでの期間だけを、ＲＯＭ５−１，５−２から読み出した同期シンボル信号に切り替えて出力する。
ここで、この同期シンボル信号としては、例えば、１シンボル期間中無信号で、該同期シンボル群の存在を大まかに見つけるためのヌル(ＮＵＬＬ)シンボル、１シンボル期間に１本のキャリアにしか信号成分を持たない特殊なシンボル(以下、ＣＷシンボルと称す)、１シンボル期間に伝送帯域の下限周波数から上限周波数に変化する波形であって、シンボルの切り替わり点を正確に求めるためのスイープ(ＳＷＥＥＰ)シンボル、遅延検波復調をするために必要な位相基準を示す基準シンボル(以下、リファレンスシンボルと称す)等である。  なお、同期シンボルを６組とする場合、上記にさらに２つの予備シンボルが付加される。
次に、直交変調処理部８について説明を補足すると、Ｄ／Ａ変換器８１により、実数部の信号Ｒsgと虚数部の信号Ｉsgに対してＤ／Ａ変換を行い、直交変調器８２では、まず実数部信号に対しては、発振器８３からの周波数ｆｃのキャリア信号のままで変調し、虚数部信号に対しては、発振器８３の周波数ｆｃのキャリア信号を９０°移相した信号で変調することによって直交変調を施し、これらの信号を合成してＯＦＤＭ変調波信号を得る。
【０００８】
次に、受信側Ｒｘの構成動作について説明する。
受信側Ｒｘでは、伝送されたフレーム構成の信号は、ＡＧＣ部９Ａに入力され、ここで、受け取った信号レベルを適正レベルに修正する制御信号Ｓａを発生しレベルを変更する。  ＡＧＣ部９Ａにて適正レベルとなったＯＦＤＭフレーム構成信号は、直交復調処理部９Ｂに入力される。
ここでの処理は、送信側Ｔｘとは逆に、直交復調器９１によって、電圧制御発振器９３から出力される周波数Ｆc'のキャリア信号により復調した出力を実数部信号として取り出し、キャリア信号を９０°移相して復調した出力を虚数部信号として取り出すものである。  そして、これら実数部と虚数部の各復調アナログ信号を、Ａ／Ｄ変換器９２によりディジタル信号に変換する。
同期検出＆相関部４Ａは、受信した信号Ｒ'sgとＩ'sgからフレームの区切りを探索しフレームの基準ＦＳＴrcを出力するとともに相関出力Ｓｃを出力する。
そして、ＦＦＴ部３Ｃは、このパルスＦＳＴrcに基づいてシンボルを区切り、前述のようにフーリエ変換を行うことでＯＦＤＭ復調を行い、データＲ'fとＩ'fを出力する。
復号化部２Ｒは、例えばＲＯＭテーブル手法にて、データＲ'fとＩ'fを識別し、データＤ'oを算出する。
伝送路復号化部７は、逆インターリーブ処理、エネルギー逆拡散処理、エラー訂正処理等を行い、連続したディジタルデータDout、エラー訂正処理状況であるＢＥＲ(ビット・エラー・レート)状態を示す信号Ｓｂおよび受信側クロック信号ＣＫRXを出力する。
【０００９】
次に、図１９に同期検出＆相関部４Ａの具体的構成の一例を示し、説明する。直交復調したディジタル信号である時間軸信号Ｒ'sg，Ｉ'sgは、ＮＵＬＬ終了検出器４−１とＳＷＥＥＰ演算器４−２に入力される。
ＮＵＬＬ終了検出器４−１は、フレーム構成のシンボル群から同期シンボル中で無信号状態にあるＮＵＬＬを検出し、同期シンボルの大まかな位置(タイミング)を検出し、ＮＵＬＬ終了時点からタイマ回路によりＳＷＥＥＰシンボル開始時点を推定して、ＳＷＥＥＰ開始指示パルスＳＴを出力する。
ＳＷＥＥＰ演算器４−２は、ＳＷＥＥＰ開始指示パルスＳＴを参照しＮＵＬＬシンボルの２シンボル後に存在する波形を、ＳＷＥＥＰシンボル波形と推定して取り込み、各シンボルの正確な切り替わりタイミングを捜索する。
具体的には、予めＳＷＥＥＰシンボルのパターンが格納してあるメモリ４−３を用い、入力されたＯＦＤＭ信号とこのメモリ４−３から読み出したパターンを例えば相関演算し、相関出力Ｓｃを、図１７のＦＳＴ補正部４Ｂに出力する。
ＦＳＴ補正部４ＢはフレームパルスＦＳＴｒを基準に、各シンボルの正確な切り替わりタイミングとの位相ずれを算出し、受信側の基準クロックＣＫｒの補正信号ＶＣを出力し、受信側のフレーム位相を伝送データに一致させる。
フレームカウンタ４−４は、ＳＷＥＥＰ開始指示パルスＳＴに基づいて、クロックＣＫのカウントを開始し、このカウント数がフレーム周期に相当する値(例えば、１０７２×９００)に到達する毎に、パルスＦＳＴｒを出力するとともに、カウント値を０に戻してから再びクロックＣＫのカウントを開始する。
従って、以後は、一定カウント毎に、即ちフレーム開始点毎にパルスＦＳＴｒが出力されることになり、受信側ではこのパルスＦＳＴｒを高速フーリエ変換、復号化、逆レート変換の開始タイミングとする。
【００１０】
次に、図２０と図２１を用いて、ＮＵＬＬ終了検出器４−１の具体的構成と、ＳＷＥＥＰ開始位置推定過程の詳細を説明する。
ＮＵＬＬ終了検出器４−１へ供給される信号Ｒ'sg，Ｉ'sgは、絶対値回路４-1-1，４-1-2で絶対値化、加算器４-1-3で加算され、絶対値加算出力４ａとなる。この絶対値加算出力４ａを、比較器４-1-4において、しきい値Ｖthと比較し、しきい値Ｖthを越えない期間、即ち、Ｔ１〜Ｔ２間のＮＵＬＬシンボル期間に相当する比較結果出力４ｂを得る。
そして、エッジ検出器４-1-5において、比較結果出力４ｂから、信号の立上りエッジを検出する。  そして、遅延回路４-1-6により、この信号立上りエッジ検出信号４ｃを１シンボル遅延し、ＳＷＥＥＰ開始指示パルスＳＴを発生する。
このＳＷＥＥＰ開始開始指示パルスＳＴによって、正しいＳＷＥＥＰシンボル開始位置(Ｔ３)を特定することができ、ＳＷＥＥＰ演算器４−２に、ＳＷＥＥＰシンボル波形の開始部分から取り込めるため、ＳＷＥＥＰ演算における位相ずれを正確に算出でき、各シンボルの正確な切り替わりタイミングを捜索することが可能となる。
すなわち、ＳＷＥＥＰ演算器４−２から出力される相関出力Ｓｃ信号を基に、ＦＳＴ補正部４Ｂでずれ検出を行い、受信側サンプルレートとなるクロックＣＫｒｃの速度を調整し、伝送されてきた同期シンボル位相とのロック処理を行うことによって、ＦＦＴゲートの時間的位置の誤差は消える。  なお、反射波があるからゲート位置はシンボル期間の後部がベターである。
ところで、粗調整にあたる同期シンボルの検出エッジを基に決定するＳＷＥＥＰ開始指示パルスの時間的位置が正確であれば、微調整にあたるクロックＣＫrcの速度調整により行うＦＦＴゲートの時間的位置補正量が減少し、その所要時間も減少する。  すなわち、より少ない時間で、誤差０(ずれ無し)のゲート位置に設定でき、最良の復号状況を達成できる。
この様な場合の、相関出力信号Ｓｃの一例を、図２２に示す。  図から明らかな様に、この場合の相関出力信号Ｓｃは、反射波がなく、主波による鋭いピークが唯一存在する形となる。
【００１１】
次に反射波あり時の動作、ＮＵＬＬ検出しきい値との関連を説明する。
図２３に示す如く、反射波が存在すると、ＮＵＬＬ終了点の検出ずれが大きくなり、検出エッジの時間的位置は遅れるため、粗調整の精度は低下し、微調整で行う補正量も増加し、ひいては微調整に要する時間が増加して、最良の復号状況への到達が遅れる。  反射波の影響を低減する場合、しきい値Ｖthを低め(α＝０．３)に設定すれば、主波によるＮＵＬＬ終了点を検出し易くなって、粗調時のずれ量は少なくなり、上述の微調整の所用時間の延長は防止できる。
このような場合の、相関出力信号Ｓｃの一例を図２４に示す。  図から明らかなように、この場合の相関出力信号Ｓｃは、主波による山と反射波による山が存在する形となる。
以上は、雑音成分の混入の少ない高ＣＮでの状態が前提であった。  しかし、図２５に示すように、入力電界の低い使用条件では雑音成分が増加し、比較結果出力４ｂにＮＵＬＬ期間の雑音成分で発生した偽信号が混ざる。このため、粗調整の精度は大幅な低下となる恐れがある。  また、更に電界が弱まるとＮＵＬＬ期間の雑音成分が、常にしきい値Ｖthを越えてしまい、ＮＵＬＬ期間の終了点を全く検出不能となる場合も生じる。  このような低ＣＮでの動作を確保するには、しきい値Ｖthは高め（α＝０．８）が良い。
このような場合の、相関出力信号Ｓｃの一例を図２６に示す。  図から明らかな様に、この場合の相関出力信号Ｓｃは、受信側で再生したＦＳＴｒパルスを基準に取り込んだＳＷＥＥＰ信号に雑音が多く含まれ、ＳＷＥＥＰパターンメモリ４−３の位相をずらしながら一致度を演算するが、高ＣＮ時ほど一致度が高まらないため、主波により生じる山は緩い形となる。
【００１２】
【発明が解決しようとする課題】
ところで、以上説明したようなディジタル伝送装置を、マラソン中継等の移動しながらの電波伝送に用いる場合、受信側のアンテナを移動中の中継車等の送信アンテナに正確に向け、強い電波を受ける方向調整作業が必要となる。  以後、この方向調整作業を、ここでは短縮して、方調と呼ぶ。
この方調作業を容易化するため、図１７に示す様な従来の装置には、電界の強さをＡＧＣ部９Ａの制御信号Ｓａと見立て、電界の強さ(Ｓａ値)に応じて周波数が変化する低周波の信号を出力する手段(例えば、図示しない電界強度を音の高・低で表す手段)や電界強度レベルメータが装備されていた。
旧来のアナログ伝送の場合、ほとんどのケースで、伝送品質は電界が強い程に良好となる。  しかし、ディジタル伝送の場合は、電界が強くて反射波の混入が多い状態より、多少電界が弱くても反射波が無く、主波のみ存在する状態の方が、良好な伝送状態を得られることが圧倒的に多い。
また従来のアナログ伝送方式では、反射波の影響を大きく受けるため、見通しのきく状態でのみ使用されていたが、近年開発されたディジタル伝送方式、特にＯＦＤＭ変調方式は、反射波の影響が少ないため、見通し外での伝送に積極的に利用されていることは、前述した通りである。
しかし、見通し外からの伝送となると、受信側のアンテナ方向調整者は、送信側を目視できなくなる。  そのため、アンテナ方向調整者が、目視できない送信側に対して正確に方調するには、電界強度やＢＥＲ(ビット・エラー・レート)状態をそれぞれ検出し、専用のレベルメータ等に表示し、これらと再生画像を見比べながら方調を行うこととなる。
【００１３】
ここで、ディジタル伝送方式において、受信信号を画像化するためには、前述の受信側処理部２０３のＯＦＤＭ復調で得たディジタルデータDoutを、図示しないＭＰＥＧデコーダを用いて画像に復元する必要がある。  このように、ディジタル伝送方式では、アナログ伝送方式のように、アンテナ方向調整者のいる受信アンテナ側で、受信信号を画像化することが容易ではないため、前述の電界強度やＢＥＲ状態を示す専用のレベルメータ等に頼って、方調を行うことが多い。
しかしながら、前述のように、ディジタル伝送の場合、電界は強いが反射波の混入が多い状態より、多少電界が弱くても反射波が無く、主波のみ存在する状態の方が、良好な伝送状態を得られることが圧倒的に多いため、反射波の混入状況(ゴースト状況)を把握せず、電界強度やＢＥＲ状態と再生画像を個々に見て方調を行っても、必ずしも品質の高い伝送が実現できないことになる。
本発明はこれらの欠点を除去し、ＯＦＤＭ信号等のディジタル伝送においては、電界強度やＢＥＲ状態だけでは、必ずしも伝送品質の良否は分からないため、反射波の有無・混入状態(ゴースト状態)を映像化し、更には電界強度やＢＥＲ値の状態等も映像化し、これらの状況を総合的に視認しながら方調することにより、高品質な伝送状態の維持作業を容易化することを目的とする。
また、方向調整者が、複数台の中継車に対しアンテナ方調等の操作を行う場合、多数の表示モニタを見なくても済むように、映像化した伝送状態を、他の映像信号に同期させることで、俗に言う、スーパーインポーズ状態で表示することを目的とする。
さらには、異常な伝送状態を検知した時に、映像化した異常な伝送状態波形を所定時間正常な伝送状態波形に重畳し残留表示させ、伝送路特性の把握を可能にすることを目的とする。
また、その異常状態発生時に警告音を発生し、異常状態発生を知らせることを目的とする。
【００１４】
【課題を解決するための手段】
本発明は上記の目的を達成するため、マルチキャリア変調方式を用いたディジタル伝送システムにおいて、受信側に、受信信号から、反射波の混入状態を表すゴースト状態信号、復号ＢＥＲ(ビット・エラー・レート)状態を表すＢＥＲ状態信号及び電界強度を表す電界強度状態信号の内、少なくとも上記ゴースト状態信号を生成し当該対応する状態信号を映像化信号に変換生成する手段と、当該映像化信号を所定の表示基準に基づいて画像表示する手段を有し、当該表示画像の状態から伝送状態を総合的に解析・把握するようにしたものである。
また、上記映像化信号に変換生成する手段は、少なくとも上記ゴースト状態の映像化信号と対応するガード期間及び時間目盛を表す映像化信号を所定の位置関係で統合するものである。
更に、上記映像化信号に変換生成する手段は、上記生成された対応する状態の映像化信号と上記受信信号の復号映像信号を所定の位置関係で統合する手段を具備するものである。
また、マルチキャリア変調方式を用いたディジタル伝送システムにおいて、受信側で、受信信号から、反射波の混入状態を表すゴースト状態信号、復号ＢＥＲ(ビット・エラー・レート)状態を表すＢＥＲ状態信号及び電界強度を表す電界強度状態信号の内、少なくとも上記ゴースト状態信号を生成し、当該対応する状態信号を映像化し、所定の表示基準に基づいて画像表示し、当該表示画像の状態から伝送状態を総合的に解析・把握するものである。
また、少なくとも上記ゴースト状態の映像化信号と対応するガード期間及び時間目盛を表す映像化信号を所定の位置関係で統合し画像表示するものである。
さらに、上記生成された対応する状態の映像化信号と上記受信信号の復号映像信号を所定の位置関係で統合し画像表示するものである。
【００１５】
また、上記生成された対応する状態の映像化信号を適宜表示位置を切換え画像表示するものである。
また、上記ゴースト状態の映像化信号の所定レベル範囲にある信号を他のレベル範囲にある信号と異なる属性として画像表示するものである。
更には、上記ゴースト状態の映像化信号のガード期間を表す映像化信号を他の映像化信号と異なる属性として画像表示するものである。
また、反射波の混入状態を表すゴースト状態を示す情報を、映像信号に変換して横方向表示し、表示の分解能もしくは表示の範囲を拡大するものである。
更にまた、異常な伝送状態を検知した時に、映像化した異常な伝送状態波形を所定時間、正常な伝送状態波形に重畳し残留表示させ、伝送路特性の把握を可能にするものである。
また、その異常状態発生時に警告音を発生し、異常状態発生を知らせるようにしたものである。
これにより、ゴースト状態映像化信号、更にはＢＥＲ状態映像化信号及び電界強度映像化信号とを映像モニタに画像表示することによって、それぞれの映像化信号の状態を関連付けて総合的に見ることができるため、伝送状態を正確に把握することができる。
従って、アンテナ方向調整者は、この表示画像により効率的に方調作業を行うことができる。
【００１６】
【発明の実施の形態】
図１に、ＯＦＤＭ変調方式を用いた本発明の伝送システムの全体ブロック構成を示し、以下、受信側における構成・動作を主として説明する。
この伝送システムは、送信側Ｔｘに図１７に示す送信側処理部(ＡTX：送信アンテナ)１０１を、受信側Ｒｘに図１７に示す受信側処理部(ＡRX：受信アンテナ)２０３、伝送状態映像変換部７、映像表示装置１１を有する構成である。
受信側Ｒｘにおいて、受信側処理部２０３から得られる電界強度を表すＡＧＣ制御信号Ｓａ、相関出力ＳｃおよびＢＥＲ状態を示す信号Ｓｂは、伝送状態映像変換部７に接続される。  また、受信側処理部２０３の動作タイミング基準であるパルスＦＳＴrcも、伝送状態映像変換部７に接続される。  後述のようにして伝送状態映像変換部７で生成された伝送状態映像信号は、映像表示装置１１により表示される。
【００１７】
図２の(ａ)に、伝送状態映像変換部７の一実施例のブロック構成を示し、以下に説明する。
制御信号Ｓａは、電界強度−映像変換部７−１に入力される。  電界強度−映像変換部７−１の出力は、映像統合部７−４に入力される。
信号Ｓｂは、ＢＥＲ状態−映像変換部７−２に入力される。  ＢＥＲ状態−映像変換部７−２の出力は、映像統合部７−４に入力される。
信号ＳｃおよびＦＳＴrcは、ゴースト状態−映像変換部７−３に入力される。ゴースト状態−映像変換部７−３の出力は、映像統合部７−４に入力される。
映像統合部７−４からの同期信号C.SYNCは、電界強度−映像変換部７−１、ＢＥＲ状態−映像変換部７−２、ゴースト状態−映像変換部７−３の同期入力端子に接続される。  また、映像統合部７−４からは、後述する伝送状態映像信号が出力される。
電界強度−映像変換部７−１、ＢＥＲ状態−映像変換部７−２、ゴースト状態−映像変換部７−３は、同期信号C.SYNC入力に従い、各々の状態を示す信号を、それぞれ映像信号に変換する。  映像統合部７−４では、映像化されたこれらの信号を統合し、映像用の同期信号を付加した伝送状態映像信号を生成する。
ここで、図２の(ｂ)に各伝送状態映像信号の表示画像の１例を示し説明する。
ゴースト状態映像は、棒グラフあるいは折れ線グラフ状の相関出力波形映像に時間目盛とガード期間の範囲とを対応付け表示画面の左側に表示される。  またＢＥＲ状態映像は、画面の右上に中程度のサイズのドットブロックとして表示され、電界強度映像は、画面の右下に小ドットを積み重ねたブロックを数列、配置したものとして表示される。  これらは、伝送状態に応じて、表示される波形、ブロック数が変化する。  なお、これらの伝送状態映像の表示の更新は、受信・復号される映像信号の更新周期に依存する。
【００１８】
次に、図３の(ａ)に電界強度−映像変換部７−１の一実施例のブロック構成を示し、(ｂ)に電界強度映像化信号の映像表示画面上における表示状態を模式的に示し、以下に一例を用いて説明する。
電界強度を表す制御信号Ｓａは、Ａ／Ｄ変換器７-1-1に入力されて、例えば、６ビットのディジタル信号ＤSaに変換される。  この電界強度を表す信号ＤSaは、デコーダ(ＤＥＣ)７-1-2で、例えば、信号Ｄa0〜Ｄa23の全２４の信号に変換される。  ここで、信号ＤSaが０１ｈ、即ち１０進で１ならば、Ｄa0とＤa1のみレベルＨとなる。  また、信号ＤSaが１５ｈ、即ち、１０進で２１なら、Ｄa0からＤa21がレベルＨとなる。
信号Ｄa0からＤa23の各出力は、２４個のアンドゲート(ＡＮＤ)７-1-4に入力される。  ＡＮＤ７-1-4の計２４個の出力は、オアゲート(ＯＲ)７-1-5に入力される。  同期信号C.SYNCは、表示位置パルス発生器７-1-3に入力され、ここで、同期信号C.SYNCのタイミングに応じて、対応する表示位置のパルスａ０〜ａ23が出力される。  パルスａ０〜ａ23は、ＡＮＤ７-1-4のもう一方の端子に入力され、信号Ｄa0〜Ｄa23と論理積を取られる。
ここで、電界強度を表す信号ＤSaが００ｈ、即ち１０進で０なら、信号Ｄa0のみレベルＨであるから、パルスａ０のみ論理積がＨとなって、パルスａ０に対応する位置のブロックのみ表示される。  また、信号ＤSaが１６ｈ、即ち１０進で２２ならば、信号Ｄa0〜Ｄa22まで論理積がＨとなり、パルスａ０〜ａ22に対応する位置の全ブロックが表示される。
ここで例えば、パルスａ０は、走査線が２０８Ｈ〜２１０Ｈで、サンプル数が３８４サンプル〜４１４サンプルの位置においてレベルＨとなり、パルスａ22は、走査線が２０２Ｈ〜２０４Ｈで、サンプル数が５４０〜５７０サンプルの位置においてレベルＨとなり、パルスａ23は、走査線が１９９Ｈ〜２０１Ｈで、サンプル数が５４０〜５７０サンプルの位置においてレベルＨとなるものとすれば、電界強度映像は、図３の(ｂ)に示すように表示される。
すなわち、電界強度映像は、電界強度を表す制御信号Ｓａの値に応じて、表示されるブロック数が変化するものとなる。
【００１９】
次に、図４の(ａ)にＢＥＲ状態−映像変換部７−２の一実施例のブロック構成を示し、(ｂ)にＢＥＲ状態映像化信号の映像表示画面上における表示状態を模式的に示し、以下に一例を用いて説明する。
ＢＥＲ状態を表す信号Ｓｂは、Ａ／Ｄ変換器７-2-1に入力され、約３ビットのディジタル信号ＤSbに変換される。  該ＢＥＲ状態を示す信号ＤSbは、デコーダ(ＤＥＣ)７-2-2にて、例えば、信号Ｄb0〜Ｄb4の全５つの信号に変換される。
ここで、信号ＤSbが０１ｈ、即ち１０進で１なら、信号Ｄb1とＤb0のみレベルＨとなる。  またＤb0〜Ｄb4の各出力は、５個のアンドゲート(ＡＮＤ)７-2-4に入力される。  そしてＡＮＤ７-2-4の計５個の出力は、オアゲート(ＯＲ)７-2-5に入力される。
同期信号C.SYNCは、表示位置パルス発生器７-2-3に入力され、同期信号C.SYNCのタイミングに応じて、ＢＥＲ状態を表示するためのパルスｂ０〜ｂ４が出力される。  ここで、映像表示画面上におけるＢＥＲ状態表示用のパルスｂ０〜ｂ４は、図４の(ｂ)に模式的に示すように表示される。
パルスｂ０〜ｂ４は、ＡＮＤ７-2-4のもう一方の端子に入力され、信号Ｄb0〜Ｄb4と論理積を取られる。  ここで、ＢＥＲ状態を表す信号ＤSbが００ｈ、即ち１０進で０なら、信号Ｄb0のみレベルＨであるから、パルスｂ０のみ論理積がＨとなって、パルスｂ０に対応する位置のブロックのみ表示される。  また、信号ＤSbが０３ｈ、即ち１０進で３なら、Ｄb0〜Ｄb3まで論理積がＨとなり、パルスｂ０〜ｂ３に対応する位置の全ブロックが表示される。
すなわち、ＢＥＲ状態映像は、ＢＥＲ状態を表す制御信号Ｓｂの値に応じて、表示されるブロック数が変化するものとなる。
【００２０】
ここで、図４の(ｂ)の様に、映像表示画面上にＢＥＲ状態表示用パルスｂ０〜ｂ４を表示するための論理処理について説明する。
表示位置パルス発生器７-2-3は、例えば、ＮＴＳＣ用であれば、１４.3ＭＨｚクロックにてカウント動作し、Ｈ周期にてリセットされる９１０分周カウンタと、１／２Ｈクロックにてカウント動作し、Ｖ周期にてリセットされる５２５分周カウンタとの論理処理を行う。
これにより、図４(ｂ)に示すように、例えば、ｂ４信号は、走査線が８０Ｈ〜９６Ｈで、サンプル数が５１２サンプル〜５２６サンプルの位置において、表示され、ｂ３信号は、走査線が８０Ｈ〜９６Ｈで、サンプル数が５２８サンプル〜５４２サンプルの位置に表示される。  ｂ２信号は、走査線が８０〜９６Ｈで、サンプル数が５４４〜５５８サンプルの位置に表示される。  ｂ１信号は、走査線が８０〜９６Ｈ、サンプル数が５６０〜５７４サンプルの位置に表示される。ｂ０信号は、走査線が８０〜９６Ｈで、サンプル数が５７６〜５９０サンプルの位置に表示される。
【００２１】
次に、ゴースト状態−映像変換部７−３の一実施例のブロック構成を、図５に示し、以下に一例を用いて説明する。
前述したゴースト状態を表す相関出力信号Ｓｃは、Ａ／Ｄ変換器７-3-1に入力され、８ビットのディジタルの相関出力信号ＤScに変換される。  そして、この信号ＤScはＦＩＦＯ７-3-2に入力される。  また、前述のフレーム周期のパルスＦＳＴrcは、ＦＩＦＯ７-3-2の書き込みリセット端子に入力される。  ＦＩＦＯ７-3-2のディジタル相関出力信号Ｄ'Scは、比較器７-3-4に入力される。  比較器７-3-4の出力であるゴースト状態のレベル信号ＬＥは、ゲート７-3-6に入力される。  また、前述の同期信号C.Syncは、タイミングパルス発生器７-3-3に入力される。  そして、該発生器７-3-3は、同期信号C.Syncに応じ、ＦＩＦＯ７-3-2に読出しリセット信号RRSTと読出しイネーブル信号ＲＥを、Ｈカウンタ７-3-5に同期信号ＨＤ、ゲート７-3-6にブランキングゲート信号ＢＧを出力する。  またＨカウンタ７-3-5は、信号ＨＤに応じて発生したＨ周期の三角波の信号Ｄｈを、比較器７-3-4へ入力する。
【００２２】
ここで、信号C.SYNCとRRST、ＲＥ、ＨＤ、Ｄｈ、ＢＧ、ＬＥの各信号の関係を図６に示し、以下にこの動作について説明する。
タイミングパルス発生器７-3-3は、映像周期での１フィールド期間の開始時期にリセット信号RRSTを出力し、ＦＩＦＯ７-3-2に、最初の書込み内容から読出し準備を行わせる。  また、Ｈ周期毎のＲＥ信号により、ＦＩＦＯ７-3-2に書込まれた内容(ＤSc)が、１データずつ順番に読出される。  そして、映像のＨ周期に応じて読出された信号Ｄ'Scは、Ｈ周期の値Ｄｈと比較され、Ｄ'Sc＜Ｄｈの期間にレベルＨとなるゴースト状態を表すレベル信号ＬＥが生成される。  ここで、ブランキング期間における信号ＬＥの発生を防止するため、ブランキング期間にレベルがＬとなる信号ＢＧを用いて、ブランキング期間は強制的にレベルをＬとする。
これによって、相関出力信号Ｓｃのレベルが高ければ、Ｈレベルの期間が長いゴースト状態映像化信号である信号ＬＥが作成される。
【００２３】
ここで、図７に示す様に、ゴースト状態映像化信号を棒グラフ状の映像として、映像表示画面の左側に縦方向に表示する場合について説明する。  ここでは、走査線ｎ番目に相当するゴースト状態レベル信号ＬＥが主波であり、かつ最大値をとるものとする。 また、信号Ｄｈは２サンプル毎に値１ずつ増加し、最終的に４５０前後に達する信号とする。
例えば、走査線ｎ番目に相当する信号Ｄ'Scが、値２４１であったとすると、Ｈカウンタ７-3-5出力のＤｈの値が２４１を越える時間は、サンプル数で４８２サンプル目であり、ＬＥは１サンプル〜４８２サンプルの期間、レベルＨを出力することになる。  しかし、信号ＢＧが１サンプル目から９０サンプル目までの期間、レベルＬを出力するため、信号ＢＧがレベルＬの期間は、信号ＬＥがレベルＬにゲートされ、走査線ｎ番目のゴースト状態映像化信号は、９１サンプル目から４８２サンプル目がレベルＨとなり、図７に示すように、表示される。
また、走査線ｎ＋１番目に相当する信号Ｄ'Scが値１２３であったとすると、Ｄｈの値が１２３を越える時間は、サンプル数で２４６サンプル目であり、ＬＥは１サンプル〜２４６サンプルの期間、レベルＨを出力するが、信号ＢＧで上記の様にゲートされるため、走査線ｎ＋１番目のゴースト状態映像化信号は、９１サンプル目から２４６サンプル目がレベルＨとなり、図７に示すように、表示される。
同様に、走査線ｎ−２番目に相当する信号Ｄ'Scが値８９であったとすると、Ｄｈの値が８９を越える時間は、サンプル数１７８サンプル目であり、信号ＬＥは１サンプル〜１７８サンプルの期間、レベルＨを出力するが、信号ＢＧで上記の様にゲートされるため、走査線ｎ−２番目のゴースト状態映像化信号は、９１〜１７８サンプル目がレベルＨとなり、図７に示すように表示される。
【００２４】
次に、映像統合部７−４の一実施例のブロック構成を図８に示し、以下に説明する。
前述の電界強度映像化信号、ＢＥＲ状態映像化信号、ゴースト状態映像化信号は、ゲート７-4-1，７-4-2，７-4-3を経由して加算器７-4-6へ入力される。
表示選択器７-4-4は、電界強度映像化信号、ＢＥＲ状態映像化信号、ゴースト状態映像化信号の内、表示する信号を個別に選択(ＯＮ／ＯＦＦ)するための信号を出力する。  映像同期信号発生器７-4-5は、同期信号C.SYNCを、加算器７-4-6及び外部に出力すると共に、ゴースト状態映像化信号に対する時間軸の目盛及びガード期間の範囲を示すパルスを出力するもので、例えばＮＴＳＣ用であれば、１４.3ＭHzクロックにてカウント動作し、Ｈ周期にてリセットされる９１０分周カウンタと１／２Ｈクロックによりカウント動作し、Ｖ周期にてリセットされる５２５分周カウンタとにより論理処理を行う。  ゲート７-4-1，７-4-2，７-4-3は、表示選択器７-4-4の選択信号に応じ、電界強度映像化信号、ＢＥＲ状態映像化信号、ゴースト状態映像化信号をそれぞれＯＮ／ＯＦＦゲートする。  加算器７-4-6は、映像表示画面上において、各映像化信号が所定の大きさ、位置に表示される様、同期信号C.SYNCに基づき、ゲート７-4-1，７-4-2，７-4-3を通過した各映像化信号と上記の目盛及び範囲を示す信号を加算し、伝送状態映像化信号を生成する。
ここで、加算器７-4-6における各映像化信号の加算比率の１例を以下に示す。加算器７-4-6に入力される信号がすべてディジタルレベルの＋５Ｖであるとすると、電界強度映像化信号、ＢＥＲ状態映像化信号、ゴースト状態映像化信号は、各々０.2の比率で、目盛信号と範囲信号は、０.05の比率で、同期信号C.SYNCは０.1の比率で加算される。  これにより、同期部分を含めて、約１Ｖp-p程度の伝送状態映像化信号が生成される。
【００２５】
ここで、図９の(ａ)に、上記ゴースト状態映像化信号に対する時間軸の目盛を示す信号ｃｕｒとガードインターバル期間の範囲を示す信号C-GIが、モニタ画面に表示される例を模式的に示し、(ｂ)に、同期信号C.SYNCを基準に、上記の目盛信号ｃｕｒと範囲信号C-GIの信号発生のタイムチャートを示し、説明する。
上記目盛信号ｃｕｒは、例えば、モニタの有効画像範囲の走査線３２Ｈ目から１６Ｈ毎に２４０Ｈまでの間で、サンプル数が１０８〜１４４サンプルの位置においてレベルＨとなるものとする。  範囲信号C-GIは、例えば、走査線が１１２Ｈ〜１６０Ｈで、サンプル数が１１２サンプル〜１２８サンプルの位置においてレベルＨとなるものとする。
ガードインターバル期間の範囲を示す信号C-GIは、正常な伝送状態で、主波が存在すべき走査線ｎ番目から表示を開始し、表示の終了は、ガードインターバルが３μsecで、ＯＦＤＭのサンプルクロック周波数が１６ＭＨｚの場合、４８Ｈ後に設定することで、３μsecの期間を示す帯状の画像となる。  また、時間目盛を示す信号ｃｕｒは、ＯＦＤＭのサンプルクロック周波数が１６ＭＨｚであれば、走査線１６Ｈ毎にレベルＨとなるよう設定することにより、１μsec毎の目盛線となる。
【００２６】
次に、ゴースト状態映像化信号とＢＥＲ状態映像化信号、更に電界強度映像化信号を映像表示モニタに画像表示することにより、現在の伝送状態を正確に把握できる様子を、伝送状態の映像表示画面を模式的に示す図１０を用い説明する。図１０の(ａ)は、反射波がなく、高レベルの主波を受信している状態におけるゴースト状態映像の１例である。  この場合、ガード期間内の走査線ｎ番目付近に、主波を示す高レベルの山が存在しており、画面右側に表示されたＢＥＲ状態、電界強度も良好な値となっているため、良好な伝送状態であることが分かる。同図(ｂ)は、高レベルの主波と中レベルで主波との到達時間差がガード期間内(２μsec)の反射波を受信している状態におけるゴースト状態映像の１例である。この場合、ガード期間内の走査線ｎ番目付近に、主波を示す高レベルの山が存在し、ガード期間の２／３程度の位置に第２の中レベルの山が表示される。  この第２の山の存在で、中レベルの反射波が存在するが、その遅延時間は２μsec程度で、ガード期間内にあり、反射波を相殺できる状態であると判定できる。  また、この場合のＢＥＲ状態、電界強度も、比較的良好な値となっているため、良好な伝送状態であることが分かる。
同図(ｃ)は、高レベルの主波と小レベルで主波との到達時間差がガード期間を越える(５μsec)反射波を受信している状態におけるゴースト状態映像の１例である。  この場合は、ガード期間内の走査線ｎ番目付近に、主波を示す高レベルの山が存在し、ガード期間を外れた位置に、第２の小さな山が表示される。  この第２の小さな山の存在で、レベルが小程度の反射波が存在し、その遅延時間は、ガード期間を越える５μsec程度であり、反射波を相殺できない状態であると判定できる。  また、この場合は、電界強度は良好であるが、ＢＥＲ状態がやや不良な値となっており、やや不良な伝送状態であることが分かる。
【００２７】
同図(ｄ)は、中レベルの主波と大レベルで主波との到達時間差がガード期間を越える(５μsec)反射波を受信している状態におけるゴースト状態映像の１例である。  この場合は、ガード期間内の走査線ｎ本目付近に主波を示す山が存在し、ガード期間を外れた位置に第２の大きな山が表示される。  この第２の大きな山の存在により、レベル大の反射波が存在し、その遅延時間はガード期間を越える５μsec程度であり、レベル大の反射波を相殺できない状態であると判定できる。また、この場合のＢＥＲ状態、電界強度も、不良な値となっており、不良な伝送状態であることが分かる。
同図(ｅ)は、小レベルの主波とレベルが大で主波との到達時間差があまりない(２μsec)反射波を受信している状態におけるゴースト状態映像の１例である。この場合は、走査線ｎ本目以前に主波を示す小さな山が存在し、ガード期間内の走査線ｎ本目付近に反射波による第２の大きな山が表示される。  この場合、主波による第１の小さな山でなく、第２の大きな山である反射波に受信同期しようとしていることが判る。  また、この場合、電界強度は良好であるが、ＢＥＲ状態は不良な値となっており、不良な伝送状態であることが分かる。
ここで、この大レベルの反射波は、通常は継続せず消えゆく運命にあるため、反射波のレベルが低下した時点で、受信同期を主波に戻すアクションが行われる可能性大であり、この場合、ＢＥＲ値が劣悪になる恐れがあり、近い内に、劣悪な伝送状態となることを予め予想することができる。
以上のように、ゴースト状態映像化信号とＢＥＲ状態映像化信号、更には電界強度映像化信号とを映像モニタに画像表示することによって、それぞれの映像化信号の状態を関連付けて総合的に見ることができるため、伝送状態を正確に把握することができる。
従って、アンテナ方向調整者は、この表示画像により効率的に方調作業を行うことができる。
【００２８】
次に、図１の伝送状態映像変換部７を、上記伝送状態映像化信号と受信・復号した映像信号を重畳する伝送状態映像重畳部７ｂとした一実施例のブロック構成を図１１に示し、以下に説明する。
図１の受信側処理部２０３のＯＦＤＭ復調で得たディジタルデータＤoutを、図示しないＭＰＥＧデコーダを用いて復号した映像信号は映像統合部７ｂ-4へ、電界強度を表す制御信号Ｓａ、ＢＥＲ状態を表す信号Ｓｂ、相関出力信号Ｓｃは、それぞれ電界強度−映像変換部７ｂ-1、ＢＥＲ状態−映像変換部７ｂ-2、ゴースト状態−映像変換部７ｂ-3により、それぞれ映像信号化された後、映像統合部７ｂ-4に入力される。
図１２に、この映像統合部７ｂ-4のブロック構成を示し、以下に説明する。
受信・復号した映像信号は、外部映像同期型同期信号発生器７ｂ-4-5と、加算器７ｂ-4-6に入力される。  前述の電界強度映像化信号、ＢＥＲ状態映像化信号、ゴースト状態映像化信号は、ゲート７ｂ-4-1，７ｂ-4-2，７ｂ-4-3を経由して、加算器７ｂ-4-6へ入力される。
表示選択器７ｂ-4-4では、電界強度映像化信号、ＢＥＲ状態映像化信号、ゴースト状態映像化信号の内、表示する信号を個別に選択(ＯＮ／ＯＦＦ)するための信号を出力する。  外部映像同期型同期信号発生器７ｂ-4-5は、映像信号から抽出した同期信号C.SYNCを加算器７ｂ-4-6および外部に出力すると共に、ゴースト状態映像化信号に対する時間軸の目盛及びガード期間の範囲を示すパルスを出力する。  ゲート７ｂ-4-1,７ｂ-4-2,７ｂ-4-3は、表示選択器７ｂ-4-4の選択信号に応じ、電界強度映像化信号、ＢＥＲ状態映像化信号、ゴースト状態映像化信号を、それぞれＯＮ／ＯＦＦゲートする。  加算器７ｂ-4-6は、映像表示画面上において、各映像化信号が、所定の大きさ、位置に表示される様、同期信号C.SYNCに基づき、ゲート７ｂ-4-1，７ｂ-4-2，７ｂ-4-3を通過した各映像化信号と上記の目盛及び範囲を示す信号および受信復号した映像信号を加算し、伝送状態重畳映像信号を生成する。
この伝送状態重畳映像信号を映像モニタに画像表示することにより、それぞれの映像化信号と受信復号した映像信号の状態を関連付けて総合的に見ることができるため、図１０より更に、伝送状態を正確に把握することができる。
ここで、加算器７ｂ-4-6における各信号の加算比率の１例を、以下に示す。  加算器７ｂ-4-6に入力される信号が全てディジタルレベルの＋５Ｖであるとすると、電界強度映像化信号、ＢＥＲ状態映像化信号、ゴースト状態映像化信号は各々０.2の比率で、目盛信号と範囲信号は、０.05の比率で、映像部分が０.7Ｖ程度のアナログ信号である映像信号は、比率１で加算される。
【００２９】
次に、外部映像同期型信号発生器７ｂ-4-5の一実施例のブロック構成を図１３に示し、以下に説明する。
外部映像同期型信号発生器７ｂ-4-5の同期抽出器７ｂ-4-5-1では、入力された映像信号から外部の同期信号を抽出する。  同期信号発生器７ｂ-4-5-2は、抽出した外部の同期信号に応じて、内部の同期信号C.SYNCを作り出す。
なお、上記時間軸の目盛、ガード期間の範囲パルスは、前述の映像統合部７-4と同様にして生成される。
次に、表示位置切替型のＢＥＲ状態−映像変換部７ｂ-2の一実施例のブロック構成を図１４に示し、前記ＢＥＲ状態−映像変換部７-2と異なる部分について、以下に説明する。
表示位置パルス発生器７ｂ-2-3は、前記ＢＥＲ状態−映像変換部７-2と同様に同期信号C.SYNCのタイミングに応じて、ＢＥＲ状態を表示するためのパルスｂ０〜ｂ４を出力するが、モード切替信号により、他の表示位置に対応するパルスｂ'０〜ｂ'４を切替、出力する。  このパルスｂ０〜ｂ４及びｂ'０〜ｂ'４の映像表示画面上における位置変更の様子を、模式的に図１５に示す。
表示位置パルス発生器７ｂ-2-3は、ＮＴＳＣ用であれば、１４.3ＭHzクロックにてカウント動作し、Ｈ周期にてリセットされる９１０分周カウンタと、１／２Ｈクロックにてカウント動作し、Ｖ周期にてリセットされる５２５分周カウンタとの論理処理を行う。
このように、モード切替信号＝Ｈ(モード１)の場合、画面上方のパルスｂ０〜ｂ４に対応する表示位置のブロックが表示され、モード切替信号＝Ｌ(モード２)の場合、画面下方のパルスｂ'０〜ｂ'４に対応する表示位置のブロックが表示される。
【００３０】
ここで、図１５のように、例えば、ｂ４信号は、走査線が８０Ｈ〜９６Ｈで、サンプル数が５１２サンプル〜５２６サンプルの位置において、表示される。
ｂ３信号は、走査線が８０Ｈ〜９６Ｈで、サンプル数が５２８サンプル〜５４２サンプルの位置に表示される。  ｂ２信号は、走査線が８０Ｈ〜９６Ｈで、サンプル数が５４４サンプル〜５５８サンプルの位置に表示される。  ｂ１信号は、走査線が８０Ｈ〜９６Ｈ、サンプル数が５６０サンプル〜５７４サンプルの位置に表示される。  ｂ０信号は、走査線が８０Ｈ〜９６Ｈで、サンプル数が５７６サンプル〜５９０サンプルの位置に表示される。
また、ｂ'４信号は、走査線１９２Ｈ〜２０８Ｈ、サンプル数５２０〜５３４サンプルの位置に表示され、以下同様にして、ｂ'０信号は、走査線１９２Ｈ〜２０８Ｈ、サンプル数５８４〜５９８サンプルの位置に表示される。
【００３１】
次に、図１６に、本発明の伝送システムを画像コーデックと組み合わせ、上記伝送状態映像をＭＰＥＧ復号画像に重畳して表示する映像・音声伝送システムの一実施例のブロック構成を示し、図１のＯＦＤＭ変調方式を用いた伝送システムと異なる部分について、説明する。
送信側において、映像信号と音声信号は、ＭＰＥＧ−ＥＮＣ部１０１Ｍにて、送信側処理部１０１からの基準クロックＣＫTXに従い、圧縮されたディジタルデータＤinに変換される。  受信側において、受信した伝送信号は、受信側処理部２０３で復調され、データＤoutとして、伸張処理を行うＭＰＥＧ−ＤＥＣ部２０３Ｍに入力される。  ＭＰＥＧ−ＤＥＣ部２０３Ｍにて伸張された映像信号は、図１１に示す伝送状態映像重畳部７ｂに入力され、ここで、前述の図２(ｂ)に示す各映像化信号と時間目盛及びガード範囲を示す信号に重畳され、伝送状態重畳映像信号が生成される。
この伝送状態重畳映像信号を、映像表示装置１１に画像表示することにより、それぞれの映像化信号と受信復号した映像信号の状態を関連付けて総合的に見ることができるため、伝送状態を正確に把握することができる。
なお、本発明は、電界強度、ＢＥＲ状態、ゴースト状態を映像信号化したことで、表示する装置も一般的なビデオモニタを使用できるため、状況に応じて最適なサイズで伝送状態の画像表示が可能となる。
また、ゴースト状態映像化信号の所定レベル範囲にある信号を他のレベル範囲にある信号と異なる属性(輝度レベル、色相等)として画像表示することで、注意すべき伝送状態を素早く見つけることができる。
【００３２】
更には、ゴースト状態映像化信号のガード期間を表す映像化信号を他の映像化信号と異なる属性(輝度レベル、色相等)として画像表示することで、注意すべき伝送状態を素早く見つけることができる。
また、伝送状態を測定収集する際に、映像信号の形態に変換されているため、ＶＨＳやベータカム等のＶＴＲに録画することで、測定収集した多量の伝送状態データを容易かつ安価に記録することができる。
これにより、ゴースト状態映像化信号、更にはＢＥＲ状態映像化信号及び電界強度映像化信号とを映像モニタに画像表示することによって、それぞれの映像化信号の状態を関連付けて総合的に見ることができるため、伝送状態を正確に把握することができる。
従って、アンテナ方向調整者は、この表示画像により効率的に方調作業を行うことができる。
【００３３】
次に、伝送状態映像変換部７、伝送状態映像重畳部７ｂ(図２、図１１)におけるゴースト状態−映像変換部７−３，７ｂ−３(図５、図１１)の他の実施例について、図２７，図２８，図２９を用いて説明する。
前述のごとく、図５のゴースト状態−映像変換部７−３は、図７に示す様に、映像表示画面の左側に縦方向に、ゴースト状態映像化信号が棒グラフ状の映像として表示されていたため、分解能が走査線の本数によって限定された。  また、時間軸が縦方向の表示となり、人間の直感と不一致となり、瞬間の判断を要求される方向調整作業において、時間軸を頭の中で変換する本来の業務とは無関係な作業を追加することとなる等の問題がある。
そこで、本実施例では、ゴースト状態を示すゴースト状態映像化信号を、映像表示画面に横方向に表示し、表示の分解能あるいは表示範囲を拡大すると共に、時間軸を横方向に設定することにより、方向調整者が、オシロスコープ等と同等の感覚で、ゴースト状態を見ることができるようにする。
図２７に、本発明の横表示のゴースト状態−映像変換部７ａ−３の構成を示すブロック図を、図２８に、その映像表示画面の模式図を、図２９に、各部波形図を示す。
なお、伝送状態映像変換部７、伝送状態映像重畳部７ｂにおけるゴースト状態−映像変換部７−３，７ｂ−３以外の構成については、図２、図５、図１１等に示すものと同等の構成のため、説明を省略する。
【００３４】
図２７において、  前述したゴースト状態を表す相関出力信号Ｓｃは、Ａ／Ｄ変換器７a-3-1に入力され、例えば８ビットのディジタルの相関出力信号ＤScに変換される。  そして、この信号ＤScは、ＦＩＦＯ７a-3-2に入力される。
前述のフレーム周期のパルスＦＳＴrcは、ＦＩＦＯ７a-3-2の書込みリセット端子に入力される。  ＦＩＦＯ７a-3-2のディジタル相関出力信号Ｄ'Schは、比較器７a-3-4に入力される。  比較器７a-3-4の出力であるゴースト状態のレベル信号ＬＥｈは、ゲート７a-3-5に入力される。
また、同期信号C.Syncは、クロック(ＣＫ)再生器７a-3-6、ＨＤ抽出器７a-3-7、ＶＤ抽出器７a-3-8にそれぞれ接続される。  ＣＫ再生器７a-3-6のクロック出力は、カウンタ７a-3-9に接続される。  カウンタ７a-3-9の出力ＷＥは、ＦＩＦＯ７a-3-2のＷＥ端子に接続される。
また、ＨＤ抽出器７a-3-7の出力ＨＤは、カウンタ７a-3-10に接続される。  カウンタ７a-3-10の出力Ｃ−Ｓは、第１のデコーダ７a-3-3に接続される。
そしてＶＤ抽出器７a-3-8の出力ＶＤは、Ｈカウンタ７a-3-11に接続される。Ｈカウンタ７a-3-11の出力Ｃ−Ｈは、第１のデコーダ７a-3-3及び第２のデコーダ７a-3-12に接続される。
そして、第１のデコーダ７a-3-3は、ＦＩＦＯ７a-3-2のＲＲ端子に読出しリセット信号RRSTを、ＦＩＦＯ７a-3-2のＲＥ端子に読出しイネーブル信号ＲＥを、それぞれ出力する。
ＦＩＦＯ７a-3-2の出力(Ｄ'Sch)は、比較器７a-3-4に入力される接続される。第２のデコーダ７a-3-12の出力Ｄhhは、比較器７a-3-4に接続される。  比較器７a-3-4の出力ＬＥｈはゲート７a-3-５に接続される。
ＣＫ再生器７a-3-6は、同期信号C.Syncを基に、例えば、１４.3ＭHzのクロック(ＣＫ)を再生する。  カウンタ７a-3-9は、該ＣＫを分周し、相関出力信号Ｓｃの変化周期に応じた周期のＷＥ信号を作成出力する。  ＨＤ抽出器７a-3-7は、同期信号C.SyncからＨ周期成分を抽出し、Ｈ周期のＨＤ信号を出力する。  カウンタ７a-3-10は、ＨＤ信号でリセットされ、ＣＫ周期毎に値が増加するカウンタ信号Ｃ−Ｓを出力する。  ＶＤ抽出器７a-3-8は、同期信号C.SyncからＶ周期成分を抽出し、Ｖ周期のＶＤ信号を出力する。  Ｈカウンタ７a-3-11は、ＶＤ信号でリセットされ、１Ｈ周期毎に値が増加するカウンタ信号Ｃ−Ｈを出力する。
【００３５】
ここで図２９に示す様に、デコーダ７a-3-3は、入力されるカウンタ信号Ｃ−Ｓとカウンタ信号Ｃ−Ｈにより、走査線ｍ本目からｍ＋ｎ本目の期間に、１Ｈ期間で１ＣＫ期間、レベルＬとなる読出しリセット信号RRSTを出力する。  これにより、ＦＩＦＯ７a-3-2の読み出しアドレスを０番目に初期化する。
また、同じく走査線ｍ本目からｍ＋ｎ本目の期間にレベルＨとなる読出しイネーブル信号ＲＥとで、ＦＩＦＯ７a-3-2の読み出しアドレスを進めることによりＦＩＦＯ７a-3-2に書込まれた相関出力信号ＳｃであるＤ'schが読み出される。
デコーダ７a-3-12は、ここに入力されるカウンタ信号Ｃ−Ｈから、走査線ｍ本目にレベルｌａを出力し、以後１Ｈ毎にレベルをｉずつ低下させ、ｍ＋ｎ本目にｌa-niとなる出力Ｄhhを発生する。
ここで、比較器７a-3-4は、相関出力信号ＳｃであるＤ'schとデコーダ出力Ｄhhを比較し、Ｄ'sch＞Ｄhhの期間、レベルＨとなる信号ＬＥhを出力する。
【００３６】
即ち、図２９に示す様に、走査線ｍ本目の１Ｈ期間では、Ｄ'schはすべてＤhh以下であるため、信号ＬＥhはレベルＬのままである。  次に、走査線ｍ＋１本目の１Ｈ期間では、Ｄ'sch＞Ｄhhとなる中央部の僅かな期間ｔ1のみ、信号ＬＥhはレベルＨとなる。  そして、走査線ｍ＋２本目の１Ｈ期間では、Ｄ'sch＞Ｄhhとなる中央部の期間が前の走査線より広がり、信号ＬＥhがレベルＨとなる期間ｔ2も長くなる。  以後、この様な処理、動作を繰り返すことにより、相関出力信号Ｓｃの波形を走査線構造で表現した信号ＬＥhが完成する。
これにより、ゴースト状態を表す相関出力信号Ｓｃを映像化し、図２８に示す様に、映像表示画面上に横方向に、ゴースト状態映像を表示することができる。
なお、図２９では、説明を簡単にするため、ゴースト状態を表す相関出力信号Ｓｃの波形を走査線構造で表現した信号ＬＥhとして、主波のみを示している。
【００３７】
次に、伝送状態映像変換部７、伝送状態映像重畳部７ｂ(図２、図１１)の他の実施例について、図３０〜図４０を用いて説明する。
前述の如く、伝送路特性をゴースト状態映像化信号、更にはＢＥＲ状態映像化信号及び電界強度映像化信号で把握しようとした場合、異常状態の発生に備えて常にモニタを凝視していなければならず、観測者の負担を増大させている。
また、人間の目で認識できないような短時間に異常状態が発生しても、人間は異常状態と認識することはできず、正確な伝送路特性を把握できない等の問題が生じている。
そこで、本実施例では、伝送状態が悪化し、ゴースト状態映像化信号等の伝送状態を表す情報が、予め定めた伝送状態不良と見なす異常な伝送状態となったことを検知した時、この時の異常な伝送状態波形を、所定の時間、正常な伝送状態波形に重畳し残留表示させ、伝送路特性の把握を可能にするものである。
また、その異常状態発生時に警告音を発生し、異常状態発生を知らせるようにしたものである。
【００３８】
図３０に本発明の異常状態検知及び残留表示機能を有する伝送状態映像変換部７ａの構成を示す。  なお、伝送状態映像変換部７、伝送状態映像重畳部７ｂとの相違点は、異常状態検知＆残留表示部７ａ−５と異常状態映像統合部７ａ−６が付加された点である。
ここで、ゴースト状態の映像表示、異常状態の映像表示を、電界強度やＢＥＲ状態の映像表示と必ずしも同時に表示する必要はない。  また、この構成を実現するためには、ハードで構成するほか、ＤＳＰ(Digital Signal Processor)や、ワンチップマイコン等で構成する方法も考えられる。
図３０において、前述したゴースト状態を表す相関出力信号Ｓｃと、フレーム周期のパルスＦＳＴrcは、異常状態検知＆残留表示部７ａ−５に接続される。
ゴースト状態−映像変換部７ａ−３の出力は、異常状態検知＆残留表示部７ａ−５に接続される。  映像統合部７ａ−４の出力及び異常状態検知＆残留表示部７ａ−５の出力ＣＮＴは、異常状態映像統合部７ａ−６に接続される。
異常状態検知＆残留表示部７ａ−５は、ゴースト状態−映像変換部７ａ−３から出力されるゴースト状態映像化信号Ｓｃ'に基づき、伝送状態の異常状態を検知する。  そして、異常状態が検知された時には、異常状態映像化信号を出力し、検知されない時にはＬレベルを出力する。
異常状態映像統合部７ａ−６は、映像統合部７ａ−４から出力される伝送状態映像化信号と、異常状態検知＆残留表示部７ａ−５から出力される異常状態映像化信号を加算し、異常状態映像化信号を含む伝送状態映像化信号を出力する。
【００３９】
次に、異常状態検知＆残留表示部７ａ−５の構成を図３２に示し、説明する。相関出力信号Ｓｃ、フレーム周期のパルスＦＳＴrc、同期信号C.Syncは、異常状態残留表示部７a-5Bに接続される。
ゴースト状態映像化信号Ｓc'は、異常状態検知器７a-5Aに接続される。  異常状態残留表示部７a-5Bの後述の出力Ｃ−Ｓ，Ｃ−Ｈは、異常状態検知器７a-5Aに接続される。  異常状態検知器７a-5Aの出力ＡＢＮは、異常状態残留表示部７a-5B、警告音発生器７a-5C及びタイマ回路７a-5Dに接続される。  タイマ回路７a-5Dの出力Ｇ２は、異常状態残留表示部７a-5Bに接続される。
異常状態検知器７a-5Aは、ゴースト状態映像化信号Ｓc'の画面上における表示位置を、後述の出力Ｃ−Ｓ及びＣ−Ｈに基づき検知する。
そして、異常状態検知器７a-5Aは、ゴースト状態映像化信号Ｓc'が、異常な伝送状態とされる位置(例えば、図３１のガード期間範囲の外側)に表示された場合、異常状態であると検出してＨレベルを、正常な伝送状態とされる位置、例えば、ガード期間範囲内に表示された場合は、正常な伝送状態であるとして、Ｌレベルとなる信号ＡＢＮを出力する。
ここで、異常状態残留表示部７a-5Bの出力である異常状態映像化信号ＣＮＴは、信号ＡＢＮがＬレベルの時(正常な伝送状態の時)にはＬレベルとなり、Ｈレベルの時(異常状態が検出された時)は、後述の異常状態映像化信号が出力される。警告音発生器７a-5Cは、信号ＡＢＮがＨレベルの時、警告音ＡＬＡＲＭを発生する。  タイマ回路７a-5Dは、異常状態映像化信号ＣＮＴの表示状態を制御する。例えば、所定の時間、連続して表示する、あるいは所定の時間、点滅させて表示する、または表示が終了する直前に点滅させて表示するなどの制御を行う。
【００４０】
図３３に、本発明の異常状態残留表示部７a-5Bの構成の一例を示し説明する。これは、図２７に詳細を示す、ゴースト状態−映像変換部７ａ−３に、ＦＩＦＯ書込み制御器７a-5-13とゲート７a-5-14を付加した構成に相当する構成である。相関出力信号Ｓｃは、Ａ／Ｄ変換器７a-5-1に入力され、例えば、８ビットのディジタルの相関出力信号ＤScに変換される。  そして、信号ＤScは、ＦＩＦＯ７a-5-2に入力される。
ＦＩＦＯ７a-5-2のディジタル相関出力信号Ｄ'Schbは、比較器７a-5-4に入力される。  比較器７a-5-4の出力であるゴースト状態のレベル信号ＬＥhbは、ゲート７a-5-5に入力される。  ゲート７a-5-5の出力ＬＥhb'はゲート７a-5-14に入力される。
前述のフレーム周期のパルスＦＳＴrcは、ＦＩＦＯ書込み制御器７a-5-13に接続される。  ＦＩＦＯ書込み制御器７a-5-13の出力ＷＲSTb、ＷＥbは、それぞれＦＩＦＯ７a-5-2の書込みリセット端子ＷＲ、書込みイネーブル端子ＷＥに接続される。
また、同期信号C.Syncは、クロック(ＣＫ)再生器７a-5-6、ＨＤ抽出器７a-5-7、ＶＤ抽出器７a-5-8にそれぞれ接続される。  ＣＫ再生器７a-5-6のクロック出力は、カウンタ７a-5-9に接続される。  カウンタ７a-5-9の出力ＷＥは、ＦＩＦＯ書込み制御器７a-5-13に接続される。
また、ＨＤ抽出器７a-5-7の出力ＨＤは、カウンタ７a-5-10に接続される。
カウンタ７a-5-10の出力Ｃ−Ｓは、第１のデコーダ７a-5-3に接続される。
そしてＶＤ抽出器７a-5-8の出力ＶＤは、Ｈカウンタ７a-5-11に接続される。Ｈカウンタ７a-5-11の出力Ｃ−Ｈは、第１のデコーダ７a-5-3及び第２のデコーダ７a-5-12に接続される。
そして、第１のデコーダ７a-5-3からは、ＦＩＦＯ７a-5-2のＲＲ端子に読出しリセット信号RRST、ＦＩＦＯ７a-5-2のＲＥ端子に読出しイネーブル信号ＲＥが出力される。  また第１のデコーダ７a-5-3の出力G1は、ゲート７a-5-5に接続される。  第２のデコーダ７a-5-12の出力Ｄhhは、比較器７a-5-4に接続される。
【００４１】
以下に、異常状態残留表示部７a-5Bの動作について説明するが、図２７に示すゴースト状態−映像変換部７ａ−３と同様構成の部分は、同様動作のため、説明を省略する。
ＦＩＦＯ７a-5-2は、前述のような異常な状態にあるゴースト状態映像化信号を、所定時間、記憶しておくためのＦＩＦＯである。
ＦＩＦＯ７a-5-2の書込み動作において、正常な伝送状態にある時は、通常の書込み動作を行い、入力されるゴースト状態を表すディジタル相関出力信号ＤScは更新されるが、異常な伝送状態となった時には、所定時間、書込み動作が停止し、異常状態時のゴースト状態映像化信号波形が、所定時間、ＦＩＦＯ７a-5-2に保持される。  なお、ＦＩＦＯ７a-5-2の読出し動作においては、図２７と同様、第１のデコーダ７a-5-3から、読出し制御用の信号ＲＥ及びＲＲＳＴを受け取り、常時、読出し動作が行われる。
ＦＩＦＯ書込み制御器７a-5-13は、異常状態のゴースト状態映像化信号記憶用のＦＩＦＯ７a-5-2の書込みを制御するもので、書込み制御信号ＷＲSTb，ＷＥbは後述の異常状態検知器７a-5Aの出力ＡＢＮにより、上記のように、書込み動作と書込み動作停止とに切り換わる。
比較器７a-5-4は、ＦＩＦＯ７a-5-2の出力Ｄ'Schbに対し、図２７と同様の動作を行う。  ゲート７a-5-5は、比較器７a-5-4の出力ＬＥhbのブランキング期間を、強制的にレベルＬにする。
ゲート７a-5-14は、伝送状態が正常な時には、出力ＣＮＴを強制的にレベルＬにし、異常時にのみ、ゲート７a-5-5の出力ＬＥhb'を異常状態映像化信号ＣＮＴとして出力する。
【００４２】
ここで、この異常状態映像化信号ＣＮＴであるゲート７a-5-5の出力ＬＥhb'の生成動作について、図３９を用いて説明する。
なお図３９には、図２７に示すゴースト状態−映像変換部７ａ−３の各部波形Ｄhh、Ｄ'Sch、ＬＥhを、合わせて表示している。
前述の図２９でも説明したように、デコーダ７a-5-3は、入力されるカウンタ信号Ｃ−Ｓとカウンタ信号Ｃ−Ｈにより、走査線ｍ本目からｍ＋ｎ本目の期間に１Ｈ期間で１ＣＫ期間、レベルＬとなる読出しリセット信号RRSTを出力する。
これにより、ＦＩＦＯ７a-5-2の読み出しアドレスを０番目に初期化する。
また、同じく走査線ｍ本目からｍ＋ｎ本目の期間にレベルＨとなる読出しイネーブル信号ＲＥとで、ＦＩＦＯ７a-5-2の読み出しアドレスを進めることにより、ＦＩＦＯ７a-5-2に保持された異常状態映像化信号となるＤ'schbが読出される。
デコーダ７a-5-12は、ここに入力されるカウンタ信号Ｃ−Ｈから、走査線ｍ本目にレベルｌａを出力し、以後１Ｈ毎にレベルをｉずつ低下させ、ｍ＋ｎ本目にｌa-niとなる出力Ｄhhを発生する。
ここで、比較器７a-5-4は、ＦＩＦＯ７a-5-2出力Ｄ'schbとデコーダ出力Ｄhhを比較し、Ｄ'schb＞Ｄhhの期間、レベルＨとなる信号ＬＥhbを出力する。
即ち、図３９に示す様に、走査線ｍ本目の１Ｈ期間では、Ｄ'schbは全てＤhh以下であるため、信号ＬＥhbはレベルＬのままである。  次に、走査線ｍ＋１本目の１Ｈ期間では、Ｄ'schb＞Ｄhhとなる左端部の僅かな期間ｔ1のみ、信号ＬＥhbはレベルＨとなる。  そして、走査線ｍ＋２本目の１Ｈ期間では、Ｄ'schb＞Ｄhhとなる左端部の期間が前の走査線より広がり、信号ＬＥhbがレベルＨとなる期間ｔ2も長くなる。  以後、この様な処理、動作を繰り返すことによって、異常状態映像化信号波形を走査線構造で表現した信号ＬＥhbが生成される。
ここで、伝送状態が正常な時は、ＦＩＦＯ７a-5-2の書込みが更新されるため、出力Ｄ'schbは現在のゴースト状態波形となる。  そのため、異常状態映像化信号であるＬＥhbは、ゴースト状態映像化信号ＬＥhと同様の信号となり出力されることになるが、前述のようにゲート７a-5-14により強制的にＬレベルにされるため、正常時は、異常状態映像化信号は画面に表示されない。
【００４３】
次に、異常状態検知器７a-5Aの具体的構成の一例を図３５に示し、説明する。これは、図３４のように表示画面をＡ〜Ｈの８つの領域に分割し、異常状態映像化信号がどの領域に表示されるかを検知することにより、伝送状態の正常、異常を検知する場合の構成である。
ゴースト状態映像化信号Ｓc'は、異常検知信号発生器７a-5A-3に接続される。信号Ｃ−Ｓ及びＣ−Ｈは、共にデコーダ７a-5A-1及びデコーダ７a-5A-2に接続される。  デコーダ７a-5A-1の８つの出力Ｒa,Ｒb,…,Ｒh及びデコーダ７a-5A-2の出力RESET及びF-ENDは、異常検知信号発生器７a-5A-3に接続される。  ここで、デコーダ７a-5A-1の出力は、表示画面を分割した数だけ出力される。
デコーダ７a-5A-1は、信号Ｃ−Ｓ及びＣ−Ｈから現在の表示画面上の走査位置を、領域単位で示す８つの信号Ｒa,Ｒb,…,Ｒhを出力する。  例えば、この８つの出力において、現在、図５の領域Ａを走査している場合には、信号ＲａのみがＨレベルで、その他の信号Ｒb,Ｒc,…,ＲhはＬレベルとなる。
デコーダ７a-5A-2は、映像信号のフレーム終了付近のＶブランキング期間内にＨレベルとなる信号RESET及びF-ENDを出力し、異常検知信号発生器７a-5A-3が出力する信号ＡＢＮをフレーム単位で更新する。
【００４４】
図３６に、異常検知信号発生器７a-5A-3の具体的構成の一例を示し説明する。ゴースト状態映像化信号Ｓc'は、８個のＡＮＤゲート5A-3-1-1に接続される。
デコーダ７a-5A-1からの８出力Ｒa,Ｒb,…,Ｒhは、それぞれ８個のＡＮＤゲート5A-3-1に接続される。
信号RESETは、８個のＳＲフリップフロップ(ＳＲ・ＦＦ)5A-3-2に接続される。信号F-ENDは、Ｄフリップフロップ(Ｄ・ＦＦ)5A-3-4に接続される。
８個のＡＮＤゲート5A-3-1からの各出力は、それぞれ８個のＳＲ・ＦＦ5A-3-2に接続され、ＳＲ・ＦＦ5A-3-2からの各出力は、異常条件検出器5A-3-3に接続される。  異常条件検出器5A-3-3の出力S-ABNは、Ｄ・ＦＦ5A-3-4に接続される。
８つのＡＮＤゲート5A-3-1において、信号Ｓc'とＲa,Ｒb,…,Ｒhのそれぞれの論理積が取られ、論理積出力ANDa,ANDb,…,ANDhを各々出力する。
それらを、対応するＳＲ・ＦＦ5A-3-2のセット端子に入力すると、各ＳＲ・ＦＦ5A-3-2は、各領域内におけるゴースト状態波形の表示の有無を示す信号SRa,SRb,…,SRhを出力する。  これらの信号は、Ｈレベルの時には領域内にゴースト状態波形の表示ありを、Ｌレベルの時には表示なしを示す。
これら信号SRa〜SRhに基づき、異常条件検出器5A-3-3において、ゴースト状態映像化信号Ｓc'の異常状態発生を検出し、異常状態が検知された時にはＨレベル、検知されなかったときにはＬレベルとなる信号S-ABNを出力する。
この信号S-ABNはＤ・ＦＦ5A-3-4に入力され、ここでF-END信号をイネーブルとして、異常状態検知結果が毎フレーム更新される信号ＡＢＮを出力する。
なお、F-END信号によりＡＢＮ信号が更新された後、ＳＲ・ＦＦ5A-3-2はRESET信号によりリセットされる。
【００４５】
図３７に、この異常条件検出器5A-3-3の具体的構成の一例を示し、説明する。上記信号ＳRbは、ＮＯＴゲート5A-3-3-1に接続され、信号ＳRcは、ＮＯＴゲート5A-3-3-2に接続され、信号SRdは、ＮＯＴゲート5A-3-3-3に接続される。 そして、SRa,SRe,SRf,SRg,SRhの５つの信号は、ＡＮＤゲート5A-3-3-4に接続される。
ＮＯＴゲート5A-3-3-1，5A-3-3-2，5A-3-3-3の各出力SRb'，SRc'，SRd'はＡＮＤゲート5A-3-3-4に接続される。
この異常条件検出器5A-3-3は、例えば、図３４のＡ〜Ｈの８つの領域に対し、ゴースト状態波形が、領域Ａ及びＥ〜Ｈに表示され、領域Ｂ，Ｃ，Ｄに表示されていない状態を、異常状態として検出するように設定されている。
ここで、図３４における領域Ｂ〜Ｄの範囲は、図３１のガード期間範囲に相当しており、ゴースト状態を表す相関出力波形のピークが表示画面の左端(領域Ａ)にずれて表示される程、即ち、ガード期間範囲から外れて表示される程、異常な伝送状態にあることが検出できる。
そこで、異常条件検出器5A-3-3では、ＮＯＴゲート5A-3-3-1〜5A-3-3-3にて、信号SRb,SRc,SRdに対して否定を求め、ＡＮＤゲート5A-3-3-4で、信号SRa，SRb'，SRc'，SRd'，SRe〜SRhの論理積を取ることにより、ゴースト状態映像化信号の異常状態発生を検出し、信号S-ABNを出力する。
この信号S-ABNは、異常状態が検知された時にはＨレベル、検知されなかった時にはＬレベルとなる。
【００４６】
ここで、異常条件検出器5A-3-3の動作を、図３４、図４０を用い、更に詳しく説明する。
一例として、表示画面を図３４の様にＡ〜Ｈの８つの領域に分割し、ゴースト状態波形が表示された場合を考える。  なお、説明を簡略化するため、飛び越し走査を考えず、１画面を単に６本の走査線で表示することとする。  図４０は、このときのタイムチャートである。
信号Ｒa〜Ｒhは、それぞれの領域Ａ〜Ｈが走査された時に、Ｈレベルとなる。信号F-ENDは、１画面の走査が終了したＶブランキング期間に、所定の時間、Ｈレベルとなる。  信号RESETは、信号F-ENDの後のＶブランキング期間に、所定の時間、Ｈレベルとなる。
信号SRa〜SRhは、それぞれ信号Ｒa〜ＲhがＨレベルの時に信号Ｓc'がＨレベルになると、Ｈレベルとなる。  信号S-ABNは、信号SRa〜SRhが上記の条件を満たした時、Ｈレベルとなる。
信号ＡＢＮは、信号S-ABNの状態が、信号F-ENDの立上りで保持(更新)されたものである。  信号SRa〜SRhは、信号RESETの立上りによりリセットされ、これにより信号S-ABNもリセットされ、Ｌレベルとなる。
【００４７】
図３８に、ＦＩＦＯ書込み制御器７a-5-13の構成の一例を示し、説明する。  信号ＦＳＴrcは、セレクタ７a-5-13-2に接続される。  クロックＣＫはセレクタ７a-5-13-3に接続される。
信号ＡＢＮは、セレクタ７a-5-13-2、７a-5-13-3に接続される。  書込み停止信号発生器７a-5-13-1の出力ＷＥＳ及びＷＲＳは、それぞれセレクタ７a-5-13-2、７a-5-13-3に接続される。
異常状態を表すＡＢＮ信号により、セレクタ７a-5-13-2及び７a-5-13-3が切り換えられる。
ＡＢＮ信号がＬレベルの時、つまり正常な伝送状態の時、セレクタ７a-5-13-2及び７a-5-13-3の出力ＷＥｂ及びＷＲｂには、それぞれ信号ＦＳＴrc及びＣＫが出力され、図３３のＦＩＦＯ７a-5-2において通常の書込み制御が行われる。
また、ＡＢＮ信号がＨレベルの時、つまり異常状態の時、セレクタ７a-5-13-2及び７a-5-13-3の出力ＷＥｂ及びＷＲｂには、それぞれ、書込み停止信号発生器７a-5-13-1から出力されるＨレベルの信号ＷＥＳ及びＷＲＳが出力され、図３３のＦＩＦＯ７a-5-2の書込みを停止する制御が行われる。
【００４８】
次に、伝送状態映像変換部７ａの他の実施例について、図４１、図４２を用いて説明する。
図４１に示す伝送状態映像変換部７a'は、図３０におけるゴースト状態−映像変換部７ａ−３と異常状態検知＆残留表示部７ａ−５に含まれる同一動作のブロックを共通化し、ゴースト状態−映像変換・異常状態検知＆残留部７ａ−７とした構成である。  図４２に、このゴースト状態−映像変換・異常状態検知＆残留部７ａ−７の具体的構成を示す。
図４２に示すように、図３３において用いられている、Ａ／Ｄ変換器７a-5-1、デコーダ７a-5-3、デコーダ７a-5-12、ＣＫ再生器７a-5-6、Ｈ抽出器７a-5-7、Ｖ抽出器７a-5-8、カウンタ７a-5-9、カウンタ７a-5-10、Ｈカウンタ７a-5-11が共通化できるため省略できる。
ここで、伝送状態映像変換部７ａ'の動作は、伝送状態映像変換部７ａと同様であるので、説明を省略する。
【００４９】
以上のように、前述の伝送状態映像変換部７，７ａ，７ａ'、伝送状態映像重畳部７ｂによれば、ゴースト状態映像化信号、更にはＢＥＲ状態映像化信号及び電界強度映像化信号とを映像モニタに画像表示することによって、それぞれの映像化信号の状態を関連付けて総合的に見ることができるため、伝送状態を正確に把握することができる。  しかし、以下の点について更に考慮する必要がある。
昨今は、多様な伝送条件に対応するため、反射波混入時の緩衝帯となるガードインターバル(ＧＩ)の長さを、伝送状況に応じて変更、切り替える動きがある。つまり、例えば、１０２４サンプルからなる時間軸波形に対し、４８サンプルのガードインターバル波形を付加して合計１０７２サンプル／シンボルの時間軸波形を形成する信号形態と、９６サンプルのガードインターバル波形を付加して合計１１２０サンプル／シンボルの時間軸波形を形成する信号形態とを、伝送する情報の内容、伝送状態等の伝送条件に応じ、より良いＧＩ長の信号形態を選択するようにする。
ここで、ＧＩ長を、伝送状況に応じて変更し、切り替える場合、ＧＩ長を決定するＧＩモード信号を、図１，図１７等に示す送信側処理部１０１の伝送路符号化部とガード付加部に入力し、受信側処理部２０３の同期検出＆相関部と伝送路復号化部に入力し、ＧＩ長を切り替えている。
しかしながら、前述の伝送状態映像変換部７，７ａ，７ａ'、伝送状態映像重畳部７ｂ等では、伝送状況に応じ、ＧＩ長を変更、切り替える伝送形態が考慮されておらず、またＧＩモード信号も入力されないため、ＧＩ長を変更した場合、ゴースト状態映像化信号波形に対応した位置関係で表示されているガード期間を示す表示範囲が、対応しないものとなり、正確に伝送状態を把握できなくなる。
【００５０】
そこで、これらの不具合を改善し、ＧＩ長を変更した場合でも、ゴースト状態映像化信号波形に対応した位置関係でガード期間を示す範囲が表示され、正確に伝送状態を把握できるようにした本発明の伝送状態映像変換部について、図４３〜図５２を用いて説明する。
これは、ＧＩ長の変更、切り替えに従って、ガード期間を示す表示範囲を変更する機能を伝送状態映像変換部に付加することで、ＧＩ長を変更した場合でも、ゴースト状態映像化信号波形に対応した位置関係でガード期間を示す範囲が表示されるようにしたものである。
【００５１】
図４３に、ＧＩモード信号を自動検出する本発明の伝送状態映像変換部７ｃの構成を示す。  ここで、図２の伝送状態映像変換部７に示すものと同等の構成については、説明を省略する。
相関出力信号Ｓｃ、フレーム周期のパルスＦＳＴrcはゴースト状態−映像変換部７ｃ−３に入力される。  ＦＳＴrc信号は、ガードインターバルモード検出器７ｃ−８に入力される。  ガードインターバルモード検出器７ｃ−８の出力ＧＩモード信号は、ゴースト状態−映像変換部７ｃ−３と映像統合部７ｃ−４に入力される。  ゴースト状態−映像変換部７ｃ−３の出力は、映像統合部７ｃ−４に入力される。
映像統合部７ｃ−４からの同期信号C.Syncは、電界強度−映像変換部７ｃ−１、ＢＥＲ状態−映像変換部７ｃ−２、ゴースト状態−映像変換部７ｃ−３の同期入力端子に接続される。  映像統合部７ｃ−４からは、伝送状態映像信号が出力される。
電界強度−映像変換部７ｃ−１、ＢＥＲ状態−映像変換部７ｃ−２、ゴースト状態−映像変換部７ｃ−３は、同期信号C.Syncに従って伝送状態を示す各信号を映像信号に変換する。  映像統合部７ｃ−４は、映像化された各信号を統合し、映像用の同期信号を付加する。もしくは、外部入力された映像信号に重畳する。ガードインターバルモード検出部７ｃ−８は、ガードインターバル長に対応するＧＩモードを検出し、関連するブロックにＧＩモード信号を送る。
この様な構成を有する伝送状態映像変換部７ｃは、ガードインターバル検出部７ｃ−８にて、ＦＳＴrc信号からガードインターバル周期に対応するＧＩモード信号を自動検出する。  そして、該ＧＩモード信号に応じて、ガード期間範囲の表示範囲・長さ、伝送状態が異常となる範囲(アラーム範囲)、相関出力信号Ｓｃのサンプリング周期を切り替え変更する。
図４４の（ａ）に、ガードインターバル期間が３μｓ時の表示画面例を示す。この場合、ガード期間範囲が目盛り３ヶ分の長さとなり、アラーム範囲もガード範囲外となる。
図４４の（ｂ）に、ガードインターバル期間が６μｓ時の表示画面例を示す。この場合、ガード期間範囲が目盛り６ヶ分の長さとなり、画面右側のガード期間範囲外であるアラーム範囲も狭くなる。
【００５２】
図４５に、ガードインターバルモード検出部７ｃ−８の具体的な構成を示す。ＦＳＴrc信号は、カウンタ７c-8-1のリセット端子とラッチ７c-8-2のイネーブル端子に接続される。  カウンタ７c-8-1の出力端子はラッチ７c-8-2のＤ入力端子に接続される。  クロック(ＣＫ)源７c-8-4はカウンタ７c-8-1のＣＫ入力端子に接続される。  ラッチ７c-8-2の出力端子は判定器７c-8-3に入力される。
以下、ガードインターバルモード検出部７ｃ−８の動作について、説明する。ここで、ＣＫ源７c-8-4のＣＫ周波数を１６ＭＨｚと仮定した場合、ＦＳＴrc信号は６０.３ｍｓ周期で生じるため、カウンタ７c-8-1の最大値は約９６４８００となる。
カウンタ７c-8-1は、次のＦＳＴrc信号により、一旦値０にリセットされるが、ラッチ７c-8-2はリセット寸前の値、すなわちカウンタ７c-8-1の最大値を記憶している。
そのため、判定器７c-8-3において、ラッチ７c-8-2の出力ＰＫの値を検出することにより、対応するガードインターバルを判定することができる。
なお、ＣＫ源７c-8-4の周波数精度もあり、必ずしも９６４８００が最大値とならないため、±２１６００程度の許容範囲を与えて判定させる。
図４６の(ａ)に、カウンタ７c-8-1の最大値が９６４８００程度となるガードインターバルが３μｓ時の各出力の関係を示す。
図４６の(ｂ)に、カウンタ７c-8-1の最大値が１００８０００程度となるガードインターバルが６μｓ時の各出力の関係を示す。
以上の様に、ラッチ７c-8-2の出力、すなわちカウンタ７c-8-1の最大値を判定することにより、ＧＩモードを決定することができる。
【００５３】
図４７にゴースト状態−映像変換部７ｃ−３の具体的構成を示し、説明する。ＣＫ再生器７c-3-6のＣＫ信号は、カウンタ７c-3-9に入力される。  ＧＩモード信号は、カウンタ７c-3-9に入力される。  カウンタ７c-3-9の出力ＷＥ信号は、ＦＩＦＯ７c-3-2のＷＥ端子に接続される。
相関出力信号Ｓｃの変化は、通常、シンボル周期に依存するため、ガードインターバル長を増加(３μｓから６μｓ)すると、ゴースト状態映像化信号の変化も、６７μｓから７０μｓと長くなる。
カウンタ７c-3-9は、その変化に応じてＷＥ信号の発生周期を変更するため、ＧＩモード信号に従って、サンプリング周期が変わることになる。
図４８に、カウンタ７c-3-9の具体的な構成を示し、説明する。  ＣＫ信号は、カウンタ７c-3-9-1のＣＫ端子に接続される。  カウンタ７c-3-9-1の出力は、デコーダ７c-3-9-2に入力される。
デコーダ７c-3-9-2の出力はカウンタ７c-3-9-1のリセット端子に入力され、かつ、ＷＥ信号として出力される。  ＧＩモード信号はデコーダ７c-3-9-2のデコード値切替端子に接続される。
【００５４】
以下各部の動作について説明する。  カウンタ７c-3-9-1は、リセットＲＳＴ端子がＨレベルなら、ＣＫ入力に応じてカウント動作を行う。
デコーダ７c-3-9-2は、ＧＩモード信号に従い、例えば、１０７２サンプル／シンボルの場合１０７１、もしくは１１２０サンプル／シンボルの場合１１１９が入力されるとレベルＬを出力する。  そして、リセット端子がレベルＬになると、カウンタ７c-3-9-1は、値を０に戻す。
この結果、カウンタ７c-3-9-1は、０〜１０７１もしくは０〜１１１９のカウントを繰り返す。
図４９の（ａ）に、ガードインターバルが３μｓ時のカウンタ７c-3-9の出力ＷＥを示す。  図の様に、６７μｓ周期でレベルＬとなるＷＥ信号が得られる。
図４９の（ｂ）に、ガードインターバルが６μｓ時のカウンタ７c-3-9の出力ＷＥを示す。  図の様に、７０μｓ周期でレベルＬとなるＷＥ信号が得られる。
【００５５】
図５０に、映像統合部７ｃ−４の具体的構成を示し、説明する。
電界強度映像化信号、ＢＥＲ状態映像化信号、ゴースト状態映像化信号は、各々ゲート７c-4-1、７c-4-2、７c-4-3を経由して、加算器７c-4-6へ入力される。
表示選択器７c-4-4は、電界強度映像化信号、ＢＥＲ状態映像化信号、ゴースト状態映像化信号の加算を個別にＯＮ／ＯＦＦするための信号を出力する。
ＧＩモード信号は、外部映像同期型同期信号発生器７c-4-5に入力される。  映像信号は、外部映像同期型同期信号発生器７c-4-5および加算器７c-4-6に入力される。  外部映像同期型同期信号発生器７c-4-5は、同期信号C.Syncを外部に出力する。  また、時間目盛やガード期間範囲を示す表示信号を加算器７c-4-6に出力する。
ゲート７c-4-1，７c-4-2，７c-4-3は、表示選択器７c-4-4に従って、各映像化信号をＯＮ／ＯＦＦする。 ゲート７c-4-1，７c-4-2，７c-4-3を経由した各信号は、加算器７c-4-6で、C.Sync信号とともに、各々加算され、伝送状態映像化信号となる。
加算器７c-4-6における加算比率の例を以下に示す。 例えば、入力される信号が、全てディジタルレベルの＋５Ｖであれば、電界強度映像化信号、ＢＥＲ状態映像化信号、ゴースト状態映像化信号は、各々０．２の比率で、時間目盛信号とガード期間範囲信号は、０．０５の比率で、C.Sync信号は、０．１の比率で加算される。  これによって、同期部分を含め、約１Ｖp-p程度の映像化信号が作成される。
【００５６】
図５１に外部映像同期型同期信号発生器７c-4-5の具体的構成を示し、以下に説明する。
同期抽出器７c-4-5-1は、入力された映像信号から抽出同期信号を取り出す。
この抽出同期信号はカウンタ７c-4-5-2に入力される。  カウンタ７c-4-5-2は、垂直同期信号に応じてリセットされる。 カウンタ７c-4-5-2の出力は、デコーダ７c-4-5-3，７c-4-5-4，７c-4-5-5に接続される。
そして、例えばガード期間３μｓ範囲を示すデコーダ７c-4-5-3、６μｓ範囲を示すデコーダ７c-4-5-4、１２μｓ範囲を示すデコーダ７c-4-5の出力は選択器(ＳＥＬ)７c-4-5-6に接続され、ＧＩモード信号に従って、これらの何れかが選択され、各種範囲出力となる。
図５２の（ａ）に、ガードインターバルモード３μｓ時のガード期間範囲信号を示す。  この例では、表示画面下よりの走査線２２０本から２３０本、かつ、横方向４００画素から５８０画素のみを範囲とし帯状の信号を発生する。
図５２の（ｂ）に、ガードインターバルモード６μｓ時のガード期間範囲信号を示す。  この例では、表示画面下よりの走査線２２０本から２３０本、かつ、横方向４００画素から７６０画素のみを範囲とし帯状の信号を発生する。
なお、同様手法で、図４４の(ａ)，(ｂ)に示すアラーム範囲を切替れば良い。また、本実施例ではガードインターバルを自動検出し、各部へのモードを切り替えたが、手動でＧＩモード信号を切替る方法でも良い。
【００５７】
【発明の効果】
以上説明したように本発明によれば、電界強度状態、ＢＥＲ状態および反射波のレベル・有無等を表すゴースト状態を映像信号化して表示するディジタル伝送装置を実現でき、それぞれの伝送状態映像化信号の状態、あるいはこれと受信・復号した映像信号の状態を関連付けて総合的に見ることができるため、より正確な方調作業を容易に実施できる。  また、異常伝送状態発生時に警告を発生する機能を持つディジタル伝送装置を実現でき、より正確でかつ容易に伝送路特性を把握できる。
【図面の簡単な説明】
【図１】本発明の伝送システムの全体構成の一実施例を示すブロック図
【図２】本発明の伝送状態映像変換部７の一例のブロック図及び各伝送状態映像信号の表示画像の一例を示す模式図
【図３】本発明の電界強度−映像変換部７−１の一例のブロック図及び電界強度映像化信号の映像表示画面上における表示状態の一例を示す模式図
【図４】本発明のＢＥＲ状態−映像変換部７−２の一例のブロック図及びＢＥＲ状態映像化信号の映像表示画面上における表示状態の一例を示す模式図
【図５】本発明のゴースト状態−映像変換部７−３の一実施例の構成を示すブロック図
【図６】本発明のゴースト状態−映像変換部７−３の各部波形を示すタイムチャート
【図７】本発明のゴースト状態映像化信号の映像表示状態の一例を示す模式図
【図８】本発明の映像統合部７−４の一実施例の構成を示すブロック図
【図９】本発明のゴースト状態映像化信号の時間目盛とガード範囲の画像表示の一例を示す模式図及び同期信号、目盛信号と範囲信号の信号発生のタイムチャート
【図１０】本発明の伝送状態における各映像表示画面を模式的に示す図
【図１１】本発明の伝送状態映像重畳部７ｂの一実施例の構成を示すブロック図
【図１２】本発明の外部映像同期型映像統合部７ｂ-4の一実施例の構成を示すブロック図
【図１３】本発明の同期信号発生器７ｂ-4-5の一実施例の構成を示すブロック図
【図１４】本発明のＢＥＲ状態−映像変換部７ｂ-2の一実施例の構成を示すブロック図
【図１５】本発明のＢＥＲ状態映像化信号の表示の一例を示す模式図
【図１６】本発明の映像・音声伝送システムの全体構成の一実施例を示すブロック図
【図１７】一般的な伝送システムの全体構成を示すブロック図
【図１８】一般的な同期シンボル挿入部５の構成を示すブロック図
【図１９】一般的な同期検出＆相関部４Ａの構成を示すブロック図
【図２０】一般的なＮＵＬＬ終了検出器４−１の構成を示すブロック図
【図２１】ＮＵＬＬ検出、ＳＷＥＥＰ開始位置推定動作を説明するタイムチャート
【図２２】反射波のない場合の相関出力信号Ｓｃの一例を示す波形図
【図２３】ＮＵＬＬ検出、ＳＷＥＥＰ開始位置推定動作を説明するタイムチャート
【図２４】反射波混入時の相関出力信号Ｓｃの一例を示す波形図
【図２５】ＮＵＬＬ検出、ＳＷＥＥＰ開始位置推定動作を説明するタイムチャート
【図２６】低電界時の相関出力信号Ｓｃの一例を示す波形図
【図２７】本発明のゴースト状態−映像変換部７ａ−３の一実施例を示すブロック図
【図２８】本発明の各伝送状態映像信号の表示画像の一例を示す模式図
【図２９】本発明のゴースト状態−映像変換部７ａ−３の各部波形を示すタイムチャート
【図３０】本発明の伝送状態映像変換部７ａの一例を示すブロック図
【図３１】本発明の各伝送状態映像信号の表示画像の一例を示す模式図
【図３２】本発明の異常状態検知＆残留表示部７ａ−５の一例を示すブロック図
【図３３】本発明の異常ゴースト状態残留表示部７a-5Bの一例を示すブロック図
【図３４】本発明の異常状態検知画面の分割処理を説明するための模式図
【図３５】本発明の異常状態検知器７a-5Aの一例を示すブロック図
【図３６】本発明の異常検知信号発生器５Ａ−３の一例を示すブロック図
【図３７】本発明の異常条件検出器５A-3-3の一例を示すブロック図
【図３８】本発明のＦＩＦＯ書込み制御器７a-5-13の一例を示すブロック図
【図３９】本発明の異常状態検知＆残留部７ａ−５の各部波形を示すタイムチャート
【図４０】本発明の異常状態検知器７a-5Aの動作を示すタイムチャート
【図４１】本発明の伝送状態映像変換部７ａ'の一例を示すブロック図
【図４２】本発明のゴースト状態−映像変換・異常状態検知＆残留部７ａ-7の一例を示すブロック図
【図４３】本発明の伝送状態映像変換部７ｃの一例を示すブロック図
【図４４】本発明の各伝送状態映像信号の表示画像の一例を示す模式図
【図４５】本発明のガードインターバルモード検出部７ｃ−８の一例を示すブロック図
【図４６】本発明のガードインターバルモード検出動作を説明するための図
【図４７】本発明のゴースト状態−映像変換部７ｃ−３の一例を示すブロック図
【図４８】本発明のゴースト状態−映像変換部７c-3内のカウンタ７c-3-9のブロック図
【図４９】本発明のカウンタ７c-3-9の動作を説明するための図
【図５０】本発明の映像統合部７ｃ−４の一例を示すブロック図
【図５１】本発明の外部映像同期型同期信号発生器７c-4-5の一例を示すブロック図
【図５２】本発明のガード期間範囲表示の状態を説明する模式図
【符号の説明】
１０１：送信側処理部、２０３：受信側処理部、１Ｒ：伝送路復号化部、４Ｃ：同期検出＆相関部、４Ｂ：ＦＳＴ補正部、９Ａ：ＡＧＣ部、９Ｂ：直交復調処理部、７，７ａ，７a'，７ｂ，７ｃ：伝送状態映像変換部、７-1：電界強度−映像変換部、７-2：ＢＥＲ状態−映像変換部、７-3，７a-3，７c-3：ゴースト状態−映像変換部、７-4，７b-4：映像統合部、７a-5：異常状態検知＆残留部、７ｂ：伝送状態重畳映像変換部、７c-8：ガードインターバルモード検出部、１１：映像表示装置、１０１Ｍ：ＭＰＥＧ−ＥＮＣ部、２０３Ｍ：ＭＰＥＧ−ＤＥＣ部、Ｓａ：ＡＧＣ制御信号、Ｓｃ：相関出力信号、Ｓｂ：ＢＥＲ状態信号、ＤSa：ディジタル化電界強度信号、Ｄa0〜Ｄa23：デコード出力、ａ０〜a23：表示位置パルス、ＤSb：ディジタル化ＢＥＲ状態信号、Ｄb0〜Ｄb4：デコード出力、ｂ０〜ｂ４：表示位置パルス、ＤSc：ディジタル化ゴースト状態信号、Ｄｈ：Ｈ周期カウント出力、ＬＥ：ゴースト状態レベル信号、ＢＧ：ブランキング期間ゲート信号、ＦＳＴｒ：受信側フレーム制御パルス。
【図１】
0003714661.tif 000002
【図２】
0003714661.tif 000003
【図３】
0003714661.tif 000004
【図４】
0003714661.tif 000005
【図５】
0003714661.tif 000006
【図６】
0003714661.tif 000007
【図７】
0003714661.tif 000008
【図８】
0003714661.tif 000009
【図９】
0003714661.tif 000010
【図１０】
0003714661.tif 000011
【図１１】
0003714661.tif 000012
【図１２】
0003714661.tif 000013
【図１３】
0003714661.tif 000014
【図１４】
0003714661.tif 000015
【図１５】
0003714661.tif 000016
【図１６】
0003714661.tif 000017
【図１７】
0003714661.tif 000018
【図１８】
0003714661.tif 000019
【図１９】
0003714661.tif 000020
【図２０】
0003714661.tif 000021
【図２１】
0003714661.tif 000022
【図２２】
0003714661.tif 000023
【図２３】
0003714661.tif 000024
【図２４】
0003714661.tif 000025
【図２５】
0003714661.tif 000026
【図２６】
0003714661.tif 000027
【図２７】
0003714661.tif 000028
【図２８】
0003714661.tif 000029
【図２９】
0003714661.tif 000030
【図３０】
0003714661.tif 000031
【図３１】
0003714661.tif 000032
【図３２】
0003714661.tif 000033
【図３３】
0003714661.tif 000034
【図３４】
0003714661.tif 000035
【図３５】
0003714661.tif 000036
【図３６】
0003714661.tif 000037
【図３７】
0003714661.tif 000038
【図３８】
0003714661.tif 000039
【図３９】
0003714661.tif 000040
【図４０】
0003714661.tif 000041
【図４１】
0003714661.tif 000042
【図４２】
0003714661.tif 000043
【図４３】
0003714661.tif 000044
【図４４】
0003714661.tif 000045
【図４５】
0003714661.tif 000046
【図４６】
0003714661.tif 000047
【図４７】
0003714661.tif 000048
【図４８】
0003714661.tif 000049
【図４９】
0003714661.tif 000050
【図５０】
0003714661.tif 000051
【図５１】
0003714661.tif 000052
【図５２】
0003714661.tif 000053